(57)【要約】      （修正有）【課題】ゴルファのスイングに対してゴルフクラブの重量分布を最適化することに関連するシステム、装置、および方法を提供する。【解決手段】ゴルファのスイングの１または複数の動的挙動特性を監視するステップ４０５、ゴルファのスイングの１または複数の動的挙動特性を評価し、交換可能な一組のウエイト部材からウエイト部材を選択し、このウエイト部材をゴルフクラブ内に装着することによって、上記ゴルフクラブの重量分布を変更して、上記ゴルフクラブの重量分布を変更して上記分散距離を最小化するステップ４１０を有する。【選択図】図１３Ａ
2015173982.tif 000002
【特許請求の範囲】
【請求項１】
ゴルファのスイングに対してゴルフクラブの重量分布を最適化する方法において、
上記ゴルファのスイングの１または複数の動的挙動特性を監視するステップと、
上記ゴルファのスイングを利用した上記ゴルファにより目標へ打撃された少なくとも１つのゴルフボールの分散距離を測定するステップと、
上記ゴルフクラブの重量分布を変更して上記分散距離を最小化するステップとを有し、
目標線はアドレス位置の上記ゴルフボールと上記目標との間を伸びる線を有し、
上記分散距離は、上記ゴルファのスイングを用いて上記ゴルファにより打撃されたのちに上記ゴルフボールが停止する点まで、上記目標線から垂直に測定した、上記目標線からの距離として定義されることを特徴とする、ゴルフクラブ重量分布最適化方法。
【請求項２】
１または複数の動的挙動特性を監視するステップは、上記ゴルファのスイングの測定部分を通じて上記ゴルファのスイングの回転角度を監視するステップを有し、上記目標線は地面平面と並行であり、回転参照平面は上記目標線と並行であり、かつ上記地面平面と直交し、さらに、上記回転角度は、上記ゴルファによりスイングされるゴルフクラブのグリップ部分と上記回転参照平面との間の相対的な角度として定義され、上記回転角度は上記地面平面と直交な軸の回りで測定される請求項１記載のゴルフクラブ重量分布最適化方法。
【請求項３】
１または複数の動的挙動特性を監視するステップは、上記ゴルファのスイングの測定部分を通じてグリップ−ボールオフセットを監視するステップを有し、上記ゴルファによりスイングされたゴルフクラブは、クラブ参照点を有し、上記クラブ参照点は上記ゴルフクラブの基端から上記ゴルフクラブの中心線に沿って約５．２５インチの点として定義され、上記グリップ−ボールオフセットは上記目標線に平行な軸に沿って、上記クラブ参照点から上記ゴルフボールの中心へと測定した距離として定義される請求項２記載のゴルフクラブ重量分布最適化方法。
【請求項４】
上記ゴルファのスイングの回転オフセットを計算するステップをさらに有し、上記回転オフセットは、上記ゴルファのスイングに上記測定部分に渡る、回転角度に対するグリップ−ボールオフセットのプロットに合致する直線のスロープとして定義される請求項３記載のゴルフクラブ重量分布最適化方法。
【請求項５】
上記ゴルファのスイングの上記測定部分は、ダウンスイング・グリップ水平位置で開始され、インパクト位置で終了し、上記ダウンスイング・グリップ水平位置は、上記ゴルフクラブの上記グリップ部分が上記地面平面と平行である上記ゴルファのスイングダウンスイング部分の瞬間として定義され、上記インパクト位置は、上記ゴルファによりスイングされた上記ゴルフクラブが上記ゴルフボールに衝突する瞬間として定義される請求項４記載のゴルフクラブ重量分布最適化方法。
【請求項６】
上記ゴルフクラブの重量分布を変更するステップは、上記ゴルファのスン具の上記回転オフセットを、上記ゴルフボールを打撃した上記ゴルファのスイングからもたらされる上記分散距離と比較するステップと、上記ゴルフクラブにウエイト部材を実装するステップとを有する請求項５記載のゴルフクラブ重量分布最適化方法。
【請求項７】
上記ゴルフクラブの重量分布を変更するステップは、さらに、一組の相互交換可能なウエイト部材の中から１のウエイト部材を選択するステップを有し、上記一組の相互交換可能なウエイト部材は、基端ウエイト部材および末端ウエイト部材を有し、上記基端ウエイト部材は上記末端ウエイト部材と異なり、別々である請求項６記載のゴルフクラブ重量分布最適化方法。
【請求項８】
上記基端ウエイト部材は重量付部分を有し、上記基端ウエイト部材の上記重量付部分は、上記ゴルフクラブに実装したときに、上記クラブ参照点から基端側に位置付けられ、上記末端ウエイト部材は重量付部分を有し、上記末端ウエイト部材の上記重量付部分は上記ゴルフクラブに実装したときに、上記クラブ参照点から末端側に位置付けられる請求項７記載のゴルフクラブ重量分布最適化方法。
【請求項９】
上記ゴルフクラブは、シャフトの基端側にウエイト収容グリップを有し、上記ゴルフクラブの重量分布を変更するステップは、さらに、上記ウエイト収容グリップの基端部分をグリップ伸長ツールによって伸長するステップと、上記ウエイト収容グリップ中にウエイト部材を実装するステップとを有する請求項１記載のゴルフクラブ重量分布最適化方法。
【請求項１０】
ゴルファのスイングに対してゴルフクラブの重量分布を最適化する方法において、
上記ゴルファのスイングの１または複数の動的挙動特性を監視するステップと、
上記ゴルフクラブの重量分布を変更して上記分散距離を最小化するステップとを有し、
上記ゴルフクラブの重量分布を変更して上記分散距離を最小化するステップは、上記ゴルファのスイングの上記１または複数の動的挙動特性を評価するステップと、一組の相互交換可能なウエイト部材の中から１のウエイト部材を選択するステップと、上記ウエイト部材を上記ゴルフクラブ内に実装するステップとを有することを特徴とする、ゴルフクラブ重量分布最適化方法。
【請求項１１】
上記一組の交換可能なウエイト部材は、基端ウエイト部材および末端ウエイト部材を有する請求項１０記載のゴルフクラブ重量分布最適化方法。
【請求項１２】
上記ゴルフクラブは、シャフト、上記シャフトの基端部分に固着されたグリップ、および、上記シャフトの末端部分に固着されたクラブヘッドを有し、上記ゴルフクラブは、クラブ参照点を有し、上記クラブ参照点は上記ゴルフクラブの基端から上記ゴルフクラブの中心線に沿って約５．２５インチの点として定義され、上記グリップ−ボールオフセットは上記目標線に平行な軸に沿って、上記クラブ参照点から上記ゴルフボールの中心へと測定した距離として定義され、上記基端ウエイト部材は重量付部分を有し、上記基端ウエイト部材の上記重量付部分は、上記ゴルフクラブに実装したときに、上記クラブ参照点から基端側に位置付けられ、上記末端ウエイト部材は重量付部分を有し、上記末端ウエイト部材の上記重量付部分は上記ゴルフクラブに実装したときに、上記クラブ参照点から末端側に位置付けられる請求項１１記載のゴルフクラブ重量分布最適化方法。
【請求項１３】
上記基端ウエイト部材の上記重量付部分は、上記ゴルフクラブに実装されたときに、上記ゴルフクラブの基端に直接に隣接して位置決めされ、上記末端ウエイト部材の上記重量付部分は、上記ゴルフクラブに実装されたときに、上記ゴルフクラブの基端から末端側にずれて位置決めされる請求項１２記載のゴルフクラブ重量分布最適化方法。
【請求項１４】
上記一組の交換可能なウエイト部材はさらに重みづけされていないキャップを有し、上記重みづけされていないキャップは約５グラムより小さな重量を有する請求項１記載のゴルフクラブ重量分布最適化方法。
【請求項１５】
上記ゴルフクラブは、シャフトの基端側にウエイト収容グリップを有し、上記ゴルフクラブの重量分布を変更するステップは、さらに、上記ウエイト収容グリップの基端部分をグリップ伸長ツールによって伸長するステップと、上記ウエイト収容グリップ中にウエイト部材を実装するステップとを有する請求項１０記載のゴルフクラブ重量分布最適化方法。
【請求項１６】
ゴルフクラブの重量分布を最適化するシステムにおいて、
ウエイト収容グリップと、
基端ウエイト部材と、
末端ウエイト部材と、
グリップ伸長ツールとを有し、
上記ウエイト収容グリップは、ゴルフクラブシャフトの基端に固着されるように構成され、
上記ウエイト収容クリップは、上記シャフトの基端部分を包囲するように構成られたシャフト穴を有する、全体として筒状の部材を有し、上記ウエイト収容グリップは上記ウエイト収容グリップの起案にウエイト保持部分を有し、上記ウエイト保持部分はウエイト部材と係合するように構成され、
上記基端ウエイト部材は、グリップ結合部分および重量付部分を有し、上記基端ウエイト部材は上記ウエイト収容グリップ内に実装されるように構成され、上記グリップ結合部分は上記ウエイト収容グリップの上記ウエイト保持部分と係合するように構成され、上記重量付部分は上記グリップ結合部分の末端部分に隣接し、上記基端ウエイト部材の上記重量付部分は上記基端ウエイト部材の上記グリップ結合部分と隣接して位置決めされ、
上記末端ウエイト部材は、グリップ結合部分および重量付部分を有し、上記末端ウエイト部材は上記ウエイト収容グリップ内に実装されるように構成され、上記グリップ結合部分は上記ウエイト収容グリップの上記ウエイト保持部分と係合するように構成され、上記重量付部分は上記末端ウエイト部材の上記グリップ結合部分から末端側にずれ、上記末端ウエイト部材の上記重量付部分は上記末端ウエイト部材の上記グリップ結合部分から少なくとも５インチだけ末端側にずれ、
上記グリップ伸長ツールは、上記ウエイト収容グリップの部分を変形して上記ウエイト部材の上記ウエイト収容グリップへの取り付け、取り外しを容易にすることを特徴とするゴルフクラブ重量分布最適化システム。
【請求項１７】
上記ウエイト収容グリップの上記ウエイト保持部分は、上記ウエイト収容グリップの内側表面内に形成されたキャビティを有し、上記ウエイト収容グリップの上記ウエイト保持部分は上記キャビティの基端のウエイト保持リップを有し、上記ウエイト保持リップは上記末端ウエイト部材および上記期間ウエイト部材が上記ウエイト収容グリップから外れるのを制限するように構成され、上記基端ウエイト部材の上記結合部分はおよび上記末端ウエイト部材の上記結合部分は、各々、グリップ係合部材を有し、上記グリップ係合部材は、各々、上記ウエイト収容グリップのキャビティ内に配置されるように構成される請求項１６記載のゴルフクラブ重量分布最適化システム。
【請求項１８】
上記ウエイト保持リップは内側径を有する穴を有し、上記グリップ係合部材は、外側径を有し、上記グリップ係合部材の外側径は上記ウエイト保持リップの上記穴の内側径より大きく、上記グリップ伸長ツールは、上記グリップの上記ウエイト保持部分を変形し上記ウエイト保持リップの上記穴の内側径を伸長して上記グリップ係合部材の外側径より大きくするように構成され、もって、上記グリップ係合部材が上記ウエイト保持リップの上記穴を通り抜けられるようにする請求項１７記載のゴルフクラブ重量分布最適化システム。
【請求項１９】
上記グリップ伸長ツールは第１部材、第２部材、および複数の伸長部材を有し、上記第１部材は上記第２部材に回転可能に結合され、上記第１部材の一部を上記第２部材の一部に向けて付勢して上記第１部材が上記第２部材に対して回転するようになし、上記グリップ伸長ツールはウエイト挿入部分を有し、上記複数の伸長部材が、上記第１の部材が上記第２の部材に対して回転するときに、上記第１部材および上記第２部材に対して移動し、上記複数の伸長部材が、上記ウエイト収容グリップの上記ウエイト保持リップの上記穴の上記内側径と係合してこれを伸長するように構成される請求項１６記載のゴルフクラブ重量分布最適化システム。
【請求項２０】
上記グリップ伸長ツールは第１部材、第２部材、および複数のウエイト部材を有し、上記第１部材は上記第２部材に回転可能に結合され、上記複数の伸長部材は、上記グリップの上記ウエイト保持部分を係合してウエイト挿入ポートを形成するように構成され、上記複数の伸長部材は、上記第１部材および上記第２部材の間の相対的な動きが上記複数の伸長部材の相対的な位置を変更して上記ウエイト挿入ポートの寸法を変化させるように、構成され、これによって、上記グリップ係合部材が上記ウエイト挿入ポートを通じて上記グリップの上記ウエイト保持部分へと通り抜ける請求項１６記載のゴルフクラブ重量分布最適化方法。
【発明の詳細な説明】
【技術分野】
【０００１】
この技術は全般的には、ゴルフクラブに関連するシステム、装置、および、方法に関し、より具体的には重量分布が改善されたゴルフクラブに関する。
【背景技術】
【０００２】
ゴルファがより良いスコアを達成するのに役立つゴルフクラブを製造するために、ゴルフクラブ設計者は、打撃するのがより容易なゴルフクラブを製造する上で多大な技術的な進展をなしてきた。メタルウッドドライバ、キャビティバックアイアン、さらにはグラファイトシャフトのような技術的な進歩があり、それらが平均的なゴルファがゴルフボールをより遠く、かつよりまっすぐに打撃するのを支援することにより、平均的なゴルファにとってゴルフゲームをより容易にしてきた。しかしながら、ゴルフゲームにおけるそれら技術的な進展のすべてに拘わらず、ゴルフスイングにおける最大のバリエーションがしばしばゴルファ自身により形成される。実際、ゴルフスイングは個々のゴルファでそれぞれ別であり、同一のゴルフスイングをする人は２人といないといわれる。
【０００３】
個々のゴルファに関連する個々のスイングに対する要望が多様化していることに対処するために、ゴルフクラブ設計者は、種々の性能特徴を具備するゴルフクラブの種々のモデルを形成してゴルファがかららの個別のゴルフスイングからより多くの性能を得られるように支援する。より具体的には、ゴルフクラブ設計者は、種々の寸法、形状、および幾何のゴルフクラブの種々のモデルを形成して、種々のゴルファがそのゲームに最も適したモデルから選択できるようにする。同様に、ゴルフクラブシャフト設計者は、しばしば、異なる重量、柔軟性、および材料を具備するゴルフクラブの種々のモデルを形成して、ゴルファにより多くの多様性を提供し、そのゴルフスイングに最も良好なものを真に選択できるようにする。さらに、いくつかの製造業者は、シャフトのグリップエンドにウエイト部材（複数）を組み込んでゴルフクラブの重量分布及びフィーリングをゴルファのスイングに適したものにできるようにしている。
【発明の開示】
【０００４】
ここで説明されるシステム、方法、および装置は創造的な側面を有し、そのいずれの１つも、所望の属性のために不可欠でも、または、重要でもない。有益な特徴のいくつかが、ここでまとめられるが、これは特許請求の範囲を何ら制限しない。
【０００５】
この技術の１側面は、多くのゴルファが、彼らのスイングを最適化するためにシャフトのグリップエンド中に戦略的に配置されたウエイト部材から利益を受けるということを認識にある。したがって、各ゴルファのスイングに合うようにオプションのウエイト部材の位置および質量を戦略的に選択する調整可能なウエイト部材システムおよび方法に対する要望がある。この技術は、ゴルファのスイングを測定し、彼らのゴルフクラブのうちの１または複数についてその重量分布を変更してゴルファのショットの分散距離を最小化することに向けられている。より具体的には、いくつかの実施例は、ゴルファのクラブにつて好ましい重量分布を推奨するように構成されたフィッティングシステムに関する。他の実施例は、ゴルフクラブの重量分布を変更するシステム、装置、および方法に関する。
【０００６】
この技術の１つの非制約的な実施例は、ゴルファのスイングに対してゴルフクラブの重量分布を最適化する方法を含み、この方法は、上記ゴルファのスイングの１または複数の動的挙動特性を監視するステップと、上記ゴルファのスイングを利用した上記ゴルファにより目標へ打撃された少なくとも１つのゴルフボールの分散距離を測定するステップと、上記ゴルフクラブの重量分布を変更して上記分散距離を最小化するステップとを有し、目標線はアドレス位置の上記ゴルフボールと上記目標との間を伸びる線を有し、上記分散距離は、上記ゴルファのスイングを用いて上記ゴルファにより打撃されたのちに上記ゴルフボールが停止する点まで、上記目標線から垂直に測定した、上記目標線からの距離として定義される。
【０００７】
この技術の付加的な非制約的な実施例では、１または複数の動的挙動特性を監視するステップは、上記ゴルファのスイングの測定部分を通じて上記ゴルファのスイングの回転角度を監視するステップを有し、上記目標線は地面平面と並行であり、回転参照平面は上記目標線と並行であり、かつ上記地面平面と直交し、さらに、上記回転角度は、上記ゴルファによりスイングされるゴルフクラブのグリップ部分と上記回転参照平面との間の相対的な角度として定義され、上記回転角度は上記地面平面と直交な軸の回りで測定される。
【０００８】
この技術の付加的な非制約的な実施例では、１または複数の動的挙動特性を監視するステップは、上記ゴルファのスイングの測定部分を通じてグリップ−ボールオフセットを監視するステップを有し、上記ゴルファによりスイングされたゴルフクラブは、クラブ参照点を有し、上記クラブ参照点は上記ゴルフクラブの基端から上記ゴルフクラブの中心線に沿って約５．２５インチの点として定義され、上記グリップ−ボールオフセットは上記目標線に平行な軸に沿って、上記クラブ参照点から上記ゴルフボールの中心へと測定した距離として定義される。
【０００９】
この技術の付加的な非制約的な実施例は、上記ゴルファのスイングの回転オフセットを計算するステップをさらに有し、上記回転オフセットは、上記ゴルファのスイングに上記測定部分に渡る、回転角度に対するグリップ−ボールオフセットのプロットに合致する直線のスロープとして定義される。
【００１０】
この技術の付加的な非制約的な実施例では、上記ゴルファのスイングの上記測定部分は、ダウンスイング・グリップ水平位置で開始され、インパクト位置で終了し、上記ダウンスイング・グリップ水平位置は、上記ゴルフクラブの上記グリップ部分が上記地面平面と平行である上記ゴルファのスイングダウンスイング部分の瞬間として定義され、上記インパクト位置は、上記ゴルファによりスイングされた上記ゴルフクラブが上記ゴルフボールに衝突する瞬間として定義される。
【００１１】
この技術の付加的な非制約的な実施例では、上記ゴルフクラブの重量分布を変更するステップは、上記ゴルファのスン具の上記回転オフセットを、上記ゴルフボールを打撃した上記ゴルファのスイングからもたらされる上記分散距離と比較するステップと、上記ゴルフクラブにウエイト部材を実装するステップとを有する。
【００１２】
この技術の付加的な非制約的な実施例では、上記ゴルフクラブの重量分布を変更するステップは、さらに、一組の相互交換可能なウエイト部材の中から１のウエイト部材を選択するステップを有し、上記一組の相互交換可能なウエイト部材は、基端ウエイト部材および末端ウエイト部材を有し、上記基端ウエイト部材は上記末端ウエイト部材と異なり、別々である
【００１３】
この技術の付加的な非制約的な実施例では、上記基端ウエイト部材は重量付部分を有し、上記基端ウエイト部材の上記重量付部分は、上記ゴルフクラブに実装したときに、上記クラブ参照点から基端側に位置付けられ、上記末端ウエイト部材は重量付部分を有し、上記末端ウエイト部材の上記重量付部分は上記ゴルフクラブに実装したときに、上記クラブ参照点から末端側に位置付けられる。
【００１４】
この技術の付加的な非制約的な実施例では、上記ゴルフクラブは、シャフトの基端側にウエイト収容グリップを有し、上記ゴルフクラブの重量分布を変更するステップは、さらに、上記ウエイト収容グリップの基端部分をグリップ伸長ツールによって伸長するステップと、上記ウエイト収容グリップ中にウエイト部材を実装するステップとを有する。
【００１５】
この技術の付加的な非制約的な実施例は、ゴルファのスイングに対してゴルフクラブの重量分布を最適化する方法を含み、この方法は、上記ゴルファのスイングの１または複数の動的挙動特性を監視するステップと、上記ゴルフクラブの重量分布を変更して上記分散距離を最小化するステップとを有し、上記ゴルフクラブの重量分布を変更して上記分散距離を最小化するステップは、上記ゴルファのスイングの上記１または複数の動的挙動特性を評価するステップと、一組の相互交換可能なウエイト部材の中から１のウエイト部材を選択するステップと、上記ウエイト部材を上記ゴルフクラブ内に実装するステップとを有する。
【００１６】
この技術の付加的な非制約的な実施例では、上記一組の交換可能なウエイト部材は、基端ウエイト部材および末端ウエイト部材を有する。
【００１７】
この技術の付加的な非制約的な実施例では、上記ゴルフクラブは、シャフト、上記シャフトの基端部分に固着されたグリップ、および、上記シャフトの末端部分に固着されたクラブヘッドを有し、上記ゴルフクラブは、クラブ参照点を有し、上記クラブ参照点は上記ゴルフクラブの基端から上記ゴルフクラブの中心線に沿って約５．２５インチの点として定義され、上記グリップ−ボールオフセットは上記目標線に平行な軸に沿って、上記クラブ参照点から上記ゴルフボールの中心へと測定した距離として定義され、上記基端ウエイト部材は重量付部分を有し、上記基端ウエイト部材の上記重量付部分は、上記ゴルフクラブに実装したときに、上記クラブ参照点から基端側に位置付けられ、上記末端ウエイト部材は重量付部分を有し、上記末端ウエイト部材の上記重量付部分は上記ゴルフクラブに実装したときに、上記クラブ参照点から末端側に位置付けられる。
【００１８】
この技術の付加的な非制約的な実施例では、上記基端ウエイト部材の上記重量付部分は、上記ゴルフクラブに実装されたときに、上記ゴルフクラブの基端に直接に隣接して位置決めされ、上記末端ウエイト部材の上記重量付部分は、上記ゴルフクラブに実装されたときに、上記ゴルフクラブの基端から末端側にずれて位置決めされる。
【００１９】
この技術の付加的な非制約的な実施例では、上記一組の交換可能なウエイト部材はさらに重みづけされていないキャップを有し、上記重みづけされていないキャップは約５グラムより小さな重量を有する。
【００２０】
この技術の付加的な非制約的な実施例では、上記ゴルフクラブは、シャフトの基端側にウエイト収容グリップを有し、上記ゴルフクラブの重量分布を変更するステップは、さらに、上記ウエイト収容グリップの基端部分をグリップ伸長ツールによって伸長するステップと、上記ウエイト収容グリップ中にウエイト部材を実装するステップとを有する。
【００２１】
この技術の付加的な非制約的な実施例は、ルフクラブの重量分布を最適化するシステムを含み、このシステムは、ウエイト収容グリップと、基端ウエイト部材と、末端ウエイト部材と、グリップ伸長ツールとを有し、上記ウエイト収容グリップは、ゴルフクラブシャフトの基端に固着されるように構成され、上記ウエイト収容クリップは、上記シャフトの基端部分を包囲するように構成られたシャフト穴を有する、全体として筒状の部材を有し、上記ウエイト収容グリップは上記ウエイト収容グリップの起案にウエイト保持部分を有し、上記ウエイト保持部分はウエイト部材と係合するように構成され、上記基端ウエイト部材は、グリップ結合部分および重量付部分を有し、上記基端ウエイト部材は上記ウエイト収容グリップ内に実装されるように構成され、上記グリップ結合部分は上記ウエイト収容グリップの上記ウエイト保持部分と係合するように構成され、上記重量付部分は上記グリップ結合部分の末端部分に隣接し、上記基端ウエイト部材の上記重量付部分は上記基端ウエイト部材の上記グリップ結合部分と隣接して位置決めされ、上記末端ウエイト部材は、グリップ結合部分および重量付部分を有し、上記末端ウエイト部材は上記ウエイト収容グリップ内に実装されるように構成され、上記グリップ結合部分は上記ウエイト収容グリップの上記ウエイト保持部分と係合するように構成され、上記重量付部分は上記末端ウエイト部材の上記グリップ結合部分から末端側にずれ、上記末端ウエイト部材の上記重量付部分は上記末端ウエイト部材の上記グリップ結合部分から少なくとも５インチだけ末端側にずれ、上記グリップ伸長ツールは、上記ウエイト収容グリップの部分を変形して上記ウエイト部材の上記ウエイト収容グリップへの取り付け、取り外しを容易にする。
【００２２】
この技術の付加的な非制約的な実施例では、上記ウエイト収容グリップの上記ウエイト保持部分は、上記ウエイト収容グリップの内側表面内に形成されたキャビティを有し、上記ウエイト収容グリップの上記ウエイト保持部分は上記キャビティの基端のウエイト保持リップを有し、上記ウエイト保持リップは上記末端ウエイト部材および上記期間ウエイト部材が上記ウエイト収容グリップから外れるのを制限するように構成され、上記基端ウエイト部材の上記結合部分はおよび上記末端ウエイト部材の上記結合部分は、各々、グリップ係合部材を有し、上記グリップ係合部材は、各々、上記ウエイト収容グリップのキャビティ内に配置されるように構成される。
【００２３】
この技術の付加的な非制約的な実施例では、上記ウエイト保持リップは内側径を有する穴を有し、上記グリップ係合部材は、外側径を有し、上記グリップ係合部材の外側径は上記ウエイト保持リップの上記穴の内側径より大きく、上記グリップ伸長ツールは、上記グリップの上記ウエイト保持部分を変形し上記ウエイト保持リップの上記穴の内側径を伸長して上記グリップ係合部材の外側径より大きくするように構成され、もって、上記グリップ係合部材が上記ウエイト保持リップの上記穴を通り抜けられるようにする。
【００２４】
この技術の付加的な非制約的な実施例では、上記グリップ伸長ツールは第１部材、第２部材、および複数の伸長部材を有し、上記第１部材は上記第２部材に回転可能に結合され、上記第１部材の一部を上記第２部材の一部に向けて付勢して上記第１部材が上記第２部材に対して回転するようになし、上記グリップ伸長ツールはウエイト挿入部分を有し、上記複数の伸長部材が、上記第１の部材が上記第２の部材に対して回転するときに、上記第１部材および上記第２部材に対して移動し、上記複数の伸長部材が、上記ウエイト収容グリップの上記ウエイト保持リップの上記穴の上記内側径と係合してこれを伸長するように構成される。
【００２５】
この技術の付加的な非制約的な実施例では、上記グリップ伸長ツールは第１部材、第２部材、および複数のウエイト部材を有し、上記第１部材は上記第２部材に回転可能に結合され、上記複数の伸長部材は、上記グリップの上記ウエイト保持部分を係合してウエイト挿入ポートを形成するように構成され、上記複数の伸長部材は、上記第１部材および上記第２部材の間の相対的な動きが上記複数の伸長部材の相対的な位置を変更して上記ウエイト挿入ポートの寸法を変化させるように、構成され、これによって、上記グリップ係合部材が上記ウエイト挿入ポートを通じて上記グリップの上記ウエイト保持部分へと通り抜ける
【００２６】
添付図面は明細書の一部を構成し、それとの関連で理解されるべきである。しかしながら、図説の実施例は、単なる例であり、限定することを意図したものではない。種々の図において、類似の番号および表示は類似の要素を指す。
【図面の簡単な説明】
【００２７】
【図１】ゴルフクラブの斜視図を示す図である。
【図２】ゴルフクラブをゴルフボールの近くでアドレスして保持する右利きのゴルファの平面図である。
【図３】ダウンスイングでグリップが水平の位置のゴルフスイングを示す正面図である。
【図４】インパクト時のゴルフスイングの正面図である。
【図５】ダウンスイングでグリップが水平の位置のゴルフスイングを示す平面図である。
【図６】インパクト時のゴルフスイングの平面図である。
【図７】間略のためにゴルファを除去して示す、ダウンスイングでグリップが水平の位置の図５のゴルフスイングの平面図である。
【図８】間略のためにゴルファを除去して示す、インパクト時のゴルフスイングの平面図である。
【図９】ダウンスイングでグリップが水平の位置からインパクトまでの間の複数の点で、図５〜図８に図説されるゴルフスイングについての回転−対−グリップ・ボールオフセットをプロットする図である。
【図１０】基端ウエイト部材を組み込んだゴルフクラブの基端部分の断面図である。
【図１１】末端ウエイト部材を組み込んだゴルフクラブの基端部分の断面図である。
【図１２】分散−対−回転オフセット比をプロットするグラフを含む。
【図１３Ａ】ゴルファに対する最適なゴルフクラブ重量を決定するプロセスを図説する図である。
【図１３Ｂ】ゴルファに対する最適なゴルフクラブ重量を決定するプロセスを図説する図である。
【図１３Ｃ】ゴルファに対する最適なゴルフクラブ重量を決定するプロセスを図説する図である。
【図１３Ｄ】ゴルファに対する最適なゴルフクラブ重量を決定するプロセスを図説する図である。
【図１３Ｅ】ゴルファに対する最適なゴルフクラブ重量を決定するプロセスを図説する図である。
【図１４Ａ】ウエイト収容グリップの１実施例の断面図である。
【図１４Ｂ】図１４Ａのウエイト収容グリップの一部を示す図である。
【図１５】基端ウエイト部材の１実施例を占めず側面図である。
【図１６】末端ウエイト部材の１実施例を占めず側面図である。
【図１７】図１４Ａおよび図１４Ｂのグリップにおいて実装された図１５の基端ウエイト部材の断面図である。
【図１８】図１４Ａおよび図１４Ｂのグリップにおいて実装された図１６の末端ウエイト部材の断面図である。
【図１９Ａ】末端ウエイト部材の重量重み付け部分に固着された位置決め部材の実施例を示す断面図である。
【図１９Ｂ】末端ウエイト部材の重量重み付け部分に固着された位置決め部材の実施例を示す断面図である。
【図２０Ａ】位置決め部材の実施例の底面図である。
【図２０Ｂ】位置決め部材の実施例の底面図である。
【図２１】ウエイト部材位置決めツールの１実施例の側面図である。
【図２２】グリップに実装された基端ウエイト部材に係合されている、図２１のウエイト部材位置決めツールを示す断面図である。
【図２３】グリップ中に実装された重み付けされていないキャップの１実施例を示す断面図である。
【図２４】グリップ伸長ツールの１実施例の斜視図である。
【図２５】グリップ伸長ツールの１実施例の斜視図である。
【図２６】ウエイト部材および図２４および図２５のグリップ伸長ツールの下に位置するグリップの断面図である。
【図２７】図２４および図２５のグリップ伸長ツールの第１の部材および伸長部材を示す斜視図である。
【図２８】図２４および図２５のグリップ伸長ツールの第２の部材および伸長部材を示す斜視図である。
【図２９】図２４および図２５のグリップ伸長ツールの伸長部材の１実施例の斜視図である。
【図３０】図２４および図２５のグリップ伸長ツールの伸長部材の１実施例の斜視図である。
【図３１】図２９および図３０の伸長部材の平面図である。
【図３２】図２９および図３０の伸長部材の側面図である。
【図３３】図２９および図３０の伸長部材の斜視図である。
【図３４】図２９および図３０の伸長部材の斜視図である。
【図３５】慣用的なグリップを採用するゴルフクラブ内に実装された基端ウエイト部材の１実施例の断面図である。
【図３６】慣用的なグリップを採用するゴルフクラブ内に実装された末端ウエイト部材の１実施例の断面図である。
【発明を実施するための形態】
【００２８】
以下の詳細な説明において、添付図面が参照され、これはここでの開示の一部を構成する。詳細な説明、図面、および特許請求の範囲において説明される図説の実施例は、制限的なものを意味しない。ここで提示されるサブジェクトマターの趣旨または範囲から逸脱しない範囲で、他の実施例を採用して良く、他の変更をなして良い。この開示内容の側面は、全般的にここで説明され、各図において図説されるように、広く種々の異なる構成において、採用され、置換され、組み合わされ、また設計されて良く、これらは明瞭にこの開示の一部を構成すると理解される。例えば、システムまたは装置、または方法は、ここに開示された任意の数の側面を用いて実装され、または実施されて良い。さらに、そのようなシステム、または装置やそのような方法は、他の構成、機能を利用して実施されて良く、さらに、ここに開示された１または複数の側面に加えてそれ以外の構成、機能を利用して実施されて良い。ここで説明される、この発明の特徴の変更例および他の修正、ここで説明される、この発明の原理をさらなる適用は、この開示内容を元に当業者にもたらされ、この発明の範囲内であると考えられる。
【００２９】
実施例の外に、または、とくにことわらない限りは、すべての数の範囲、量、値およびパーセンテージ例えば明細書中の材料の量、慣性モーメント、重心位置、ロフトおよびドラフト角度、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３０】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３１】
この技術を説明するにあたって、以下の用語が用いられて良い。単数形（「ａ」、「ａｎ」、および「ｔｈｅ」）は、文脈において明瞭にそうでないと表示されない限り、複数形態を含む。そのため、例えば、１つの事項に関する説明は、１または複数の事項に関する説明を含む。用語「複数」（「ｐｌｕｒａｌｉｔｙ」）は２またはそれ以上の事項を含む。用語「実質的」（「ｓｕｂｓｔａｎｔｉａｌｌｙ」）は、指摘された、特徴、パラメータ、または値がちょうどである必要がなく、偏差または変動はこの特徴が実現しようと意図していた効果を排除しない範囲で起こって良いことを意味し、これら偏差または変動は、例えば、許容誤差、測定誤差、測定精度制約および当業者に知られている他の要素を含む。複数の事項は簡便のために共通のリストに提示されて良い。ただし、これらのリストでは、リストの構成要素の各々は別のユニークな要素として個別に特定されていると認識されるべきである。したがって、そのようなリストの個別の要素は、当該同一のリストの任意の他の要素の事実上の等価物と解釈すべきであり、これは、反対の表示がなされていないかぎり、共通のグループにおいてそれらが表示されていることのみから由来する。さらに、用語「および」（「ａｎｄ」）、および「または」（「ｏｒ」）が要素のリストと関連して使用される場合、これらは広く解釈されるべきであり、リストされた要素の任意の１つまたは複数が単独でまたは他のリストされた要素と組合わさって使用されて良いことを意味する。用語「代替的には」（「ａｌｔｒｎａｔｉｖｅｌｙ」）は２またはそれ以上の代替物から１つを選択することを意味し、それらリストされた要素の選択が一時にそれらリストさレア代替物のうちの唯一の１つに限定されることを意図しない。
【００３２】
この開示の特徴は、以下の説明および添付の特許請求の範囲から、添付の図面を参照して、より充分で明瞭なものになる。ここでの検討を考慮したのち、とくに「詳細な説明」のセクションを読んだ後、これら図説された特徴が、この開示のこれら所定の原理を説明するにあたりどのように役立つかを理解するであろう。
【００３３】
図１は、ゴルフクラブ１００の斜視図を示す。ゴルフクラブ１００は、シャフト１１０、当該シャフト１１０の基端１２０に位置づけられたグリップ２００、および、当該シャフト１１０の末端１３０に位置づけられたクラブヘッド１４０を含んで良い。図２は、ゴルフクラブ１００をゴルフボール２０の近くでアドレスして保持する右利きのゴルファ１０の平面図である。図２は、ゴルフボール２０の中心に位置づけられた座標系も示し、これはｘ−軸およびｙ−軸を含む。ｘ−軸は目標線３０に向かって配向される。目標線３０は、ボールと、ゴルファ１０が目指す目標との間に引かれる線として定義される。ｙ−軸はｘ−軸と直交し、ゴルファ１０の方に配向されている。ｘ−軸およびｙ−軸は、地面平面８０と平行な参照平面を形成し、ゴルフボール２０の中心が地面平面８０の上にある距離と等しく地面平面８０からずれており、これは図３に図説するとおりである。座標系は、ｘ−軸およびｙ−軸の双方と直交するｚ−軸も含む。
【００３４】
図２に示すとおり、ゴルファ１０がゴルフクラブ１００のヘッド１４０でゴルフボール２０を打撃したとき、ゴルフボール２０の初期軌道は目標線３０に沿うものであったり、プル４０（右利きのゴルファ１０の場合、目標線の左）であったり、またはプッシュ５０（（右利きのゴルファ１０の場合、目標線の右）であったりする。特にことわらない限り、ここでのボール飛行のすべての記述は右利きのゴルファ１０により打撃されたボール２０を指す。左利きのゴルファについては、プルは目標線３０の右であり、プッシュは目標線３０の左であろう。目標線３０に沿って打撃されたボール２０は、その初期軌道においてｘ成分を組み込み、実質的なｙ成分はない。プル４０またはプッシュ５０の初期軌道は双方ともｘ成分およびｙ成分を組み込んでいる。打ち上げ角度、それゆえ、軌道のｚ成分は、目標線３０に沿うもの、プル４０、プッシュ５０としてのボール飛行の分類に影響しない。
【００３５】
さらに、図２に図説されるように、ゴルフボール２０の飛行はドロウ６０またはフェード７０として分類されて良く、ドロウ６０では、ボールの飛行は、サイドスピンのために、初期軌道から左に曲がり、フェード７０では、ボールの飛行は、サイドスピンのために、初期軌道から右に曲がる。左利きのゴルファに関しては、ドロウは右に曲がり、フェードは左に曲がる。さきと同様に、打ち上げ角度、それゆえにボール経路のｚ成分およびカーブはドロウ６０およびフェード７０としてのボール飛行の分類に影響しない。
【００３６】
さらに、ボール飛行は、ボール飛行の初期軌道ならびにボール飛行のカーブの双方を用いて分類して良い。例えば、初期軌道が目標線３０の左であり、その後、左にカーブすするショットは、プル−ドロウとして分類されて良い。初期軌道が目標線３０の右であり、その後、右にカーブすするショットは、プッシュ−フェードとして分類されて良い。いくつかの例において、ゴルフクラブヘッド１４０がボール２０を打撃するときの当該ゴルフクラブヘッド１４０のフェース角がボールの飛行に影響を与える。中立的なスイング経路を前提とする中立フェースは全般的には目標線３０に沿う真っ直ぐなボール飛行を実現する。クローズドフェースは、プル４０、ドロウ６０、またはプル−ドロウを引き起こす。オープンフェースは、プッシュ、フェード７０、またはプッシュ−フェードを引き起こす。さらに、ゴルファのスイングの他の特徴はボールの飛行に影響し、これは、例えば、スイング経路、スイング速度、アタック角、フェースの衝撃位置等を含む。全般的には、目標線３０の左または右に逸れるボール飛行は意図した目標点の左または右に着地し、そののち転がり、最終的な停止位置に至る。ボール２０が英死した位置の目標線３０の左または右の距離は分散距離と定義される。右利きのゴルファ１０に関しては、ボール２０が目標線の左で停止したとき分散距離は正であり、ボール２０が目標線の右で停止したとき分散距離は負である。
【００３７】
ここで説明される実施例は、全般的には、シャフト１１０のグリップエンド内に戦略的に配置されてスイングを最適化するウエイト部材３００に関連するシステム、装置、または方法に関する。いくつかの実施例は、調整可能なウエイト部材のシステム、および、ゴルファのスイングに適合化させて最適なウエイト部材の位置および質量を選択する方法を含む。いくつかの実施例は、ゴルファのスイングを測定し、ゴルファのショットの分散距離を変更して最小化するために１または複数のゴルフクラブの重量分散を最小化するシステムに向けられている。いくつかの実施例は、ゴルファのスイングを測定し、ゴルファのショットの分散距離を変更し、もってゴルフショットの飛行経路を操作するために１または複数のゴルフクラブの重量分散を変更するシステムに向けられている。いくつかの実施例において、多くのゴルファは正確に同一のショットを繰り返せないので、分散距離は、複数のショットにわたる、平均分散距離を指して良い。より具体的には、いくつかの実施例は、１のゴルファのクラブ（複数本）に関して好ましい重量分散を推奨するように設計されたフィッティングシステムに関する。
【００３８】
いくつかの実施例において、ゴルファ１０は、スイングの種々の動的挙動特徴を測定するフィッティングプロセスを利用できる。そのようなフィッティングシステムの構成、動作、および利用の詳細は、本出願人の出願に係る、２０１３年４月１６日提出の米国特許第１３／８６３，５９６号（Ｍｏｒｇｏｌｅｓ等）の「ゴルフクラブのフィッティングシステム」に見いだすことができ、その内容は参照してここに組み入れる。Ｍｏｒｇｏｌｅｓの出願において説明された動的挙動特徴に加えて、ゴルファのスイングの所定の動的挙動特徴が、ゴルファの分散距離に関してゴルフクラブ１００の重量分散を変更する効果を予測する上でとくに有益である。図３は、我々が「ダウンスイング・グリップ水平」と呼ぶ位置でのゴルフスイングの正面図を示す。ダウンスイング・グリップ水平は、ゴルフクラブ１００のグリップ部分１５０が、ｘ−軸およびｙ−軸により形成される参照平面に平行で、そのため地面平面８０とも平行になるダウンスイングの瞬間により定義される。図４は、我々が「インパクト」と呼ぶべき位置でのゴルフスイングの正面図を示す。インパクト位置は、ゴルフクラブ１００のクラブヘッド１４０がゴルフボール２０を打撃するスイングの間の瞬間によって定義される。ゴルフクラブ１００のグリップ部分１５０は、ゴルフクラブ１００の最も基端部分を指し、約１２インチの長さである。
【００３９】
いくつかの実施例において、ゴルフスイングの動的挙動特徴は、ダウンスイング・グリップ水平位置およびインパクト位置の間のスイング部分において測定できる。他の実施例において、測定の終了点は上述のそれと異なって良い。例えば、１つの実施例において、測定は、ゴルフクラブ１００のグリップ部分１５０が参照平面に角度付けられている、スイングの異なる部分で開始されて良い。他の実施例において、測定は、ゴルフクラブヘッド１４０がゴルフボール２０を打撃する瞬間と異なるスイング部分で終了して良い。
【００４０】
図５は、ダウンスイング・グリップ水平位置におけるゴルフスイングの平面図を示す。図６はインパクト位置のゴルフスイングの平面図を示す。図５および図６は、ｘ−軸およびｚ−軸により形成される平面と平行な回転参照平面を含む。ゴルファ１０がそのスイングを通じてダウンスイング・グリップ水平からインパクトへと進めるとき、フィッティングシステムは、ゴルフクラブ１００のグリップ部分１５０および回転参照平面９０の間のｚ−軸と平行な軸の回りの角度を監視でき、この角度をここでは回転角度αと呼ぶ。回転角度αは、回転参照平面９０から反時計回り方向に測定される。図５に示されるようなダウンスイング・グリップ平行のときのスイングの回転角度αはほぼ０度であり、ゴルフクラブ１００のグリップ部分１５０は実質的に回転参照平面９０と平行である。図示しない、異なるスイングはゴルファのスイングのダウンスイング・グリップ平行部分において非ゼロの回転角度αを組み込んで良い。いくつかのスイングにおいて、ゴルフクラブ１００のグリップ部分１５０は、ダウンスイング・グリップ水平において回転参照平面９０に対して相対的に時計回り方向に角度付けられて良く、これは負の回転角度αをもたらす。いくつかのスイングにおいて、ゴルフクラブ１００のグリップ部分１５０は、ダウンスイング・グリップ水平において回転参照平面９０に対して相対的に反時計回り方向に角度付けられて良く、これは正の回転角度αをもたらす。図６において、インパクト時のスイングの回転角度αは約９０度である。異なるスイングはインパクト時に９０度より大きいまたは小さい回転角度αを組み込んで良い。手をうまくさばけるゴルファはインパクト時に９０度より小さい回転角度αとすることができる。
【００４１】
図７は、簡略化のためにゴルファ１０を省略した、ダウンスイング・グリップ水平時の図５のゴルフスイングの平面図である。図８は、簡略化のためにゴルファ１０を省略した、インパクト時の図６のゴルフスイングの平面図である。図７および図８に示されるゴルフクラブ１００のグリップはクラブ参照ポイント２０５を含み、これはゴルフクラブの中心線に沿ってゴルフクラブ１００の基端１２０から５．２５インチの点として定義される。図７および図８の各々は、グリップ・ボールオフセットＤｘをも示し、これはｘ−軸に沿う、クラブ参照ポイント２０５のゴルフボール２０の中心からのずれの距離として定義される。グリップがゴルフボール２０の後方にある場合には、グリップ−ボールオフセットＤｘのどの測定も負のグリップ−ボールオフセットＤｘとなり、グリップがゴルフボール２０の前方にある場合には、グリップ−ボールオフセットＤｘのどの測定も正のグリップ−ボールオフセットＤｘとなる。ゴルファ１０がそのスイングを通じてダウンスイング・グリップ水平からインパクトへと進めるとき、フィッティングシステムは、グリップ−ボールオフセットＤｘを監視する。図７に示すようなグリップ−ボール２０のオフセットＤｘは約−０．３１メータである。異なるスイングは、ダウンスイング・グリップ平行時において、異なるグリップ−ボールオフセットＤｘを組み込んで良く、これは、例えば、０．３１メータより大きく、または小さい。図８に示されるグリップ−ボール２０のオフセットは約０．０１メータである。部分において非ゼロの回転角度αを組み込んで良い。異なるスイングは、インパクト時において、異なるグリップ−ボールオフセットＤｘを組み込んで良く、これは、例えば、０．０１メータより大きく、または小さい。
【００４２】
いくつかの実施例において、フィッティングシステムはゴルフスイングの単一の動的挙動特徴を採用して１または複数のゴルファのクラブの重量分布を変更するために推奨を支援して良い。いくつかの実施例において、フィッティングシステムはゴルフスイングの複数の動的挙動特徴からなる組み合わせを採用して１または複数のゴルファのクラブの重量分布を変更するために推奨を支援して良い。いくつかの実施例において、動的挙動特徴は、例えば、ゴルファのスイングに関する回転角度αとグリップ−ボールオフセットＤｘとの間の関係であって良い。図９は、ダウンスイング・グリップ水平およびインパクトの間の複数の点における、図５〜図８に示すゴルフスイングに関する回転角αに対するグリップ−ボールオフセットＤｘをプロットしたグラフを含む。これら複数の点に対して直線をフィットだせ、その線の角度を計算することにより付加的な動的挙動特徴、回転オフセット比が得られ、この比はゴルファの１または複数のクラブの重量分布の変更に関する推奨を行う上で有益である。図５〜図９に示されるゴルフスイングの回転オフセット比は約３００度／メータである。
【００４３】
図１０は、基端ウエイト部材３００Ａを組み込んだゴルフクラブ１００の基端部分の断面図を示す。いくつかの実施例において、図１０に示すように、ゴルフクラブ１００は、当該ゴルフクラブ１００の基端１２０のすぐ近くに位置づけられた基端ウエイト部材３００Ａを含んで良い。基端ウエイト部材３００Ａはゴルフクラブ１００の重量分布を変更できる。図１１は、末端ウエイト部材３００Ｂを組み込んだゴルフクラブ１００の基端部分の断面図を示す。いくつかの実施例において、図１１に示すように、ゴルフクラブ１００は、当該ゴルフクラブ１００の基端１２０から末端側にずれて位置づけられた末端ウエイト部材３００Ｂを含んで良い。いくつかの実施例において、図１１に示すように、末端ウエイト部材３００Ｂがクラブ参照ポイント２０５の末端側に位置づけられるように末端ウエイト部材３００Ｂがゴルフクラブ１００の基端１２０からずれていて良い。
【００４４】
図１２は、分散距離に対する回転オフセット比をプロットしたグラフを含む。このグラフは、図２３に示すような重み付け無しのキャップ３００Ｃを利用するゴルフクラブに対して種々の末端および基端ウエイト部材を採用して特有の回転オフセット比を伴うゴルファに関して分散距離がどのように変化すると予測できるかを示し、重み付け無しのキャップ３００Ｃを利用するゴルフクラブはここで説明されたウエイト分散を改良させていない標準的なゴルフクラブを模倣するものである。図１２に示される関係は、種々の能力、技術、スイング速度等の１００人を越えるゴルファに関して、Ｍａｒｇｏｌｅｓ出願で説明したフィッティングシステムを用いて行った多数のテストを通じて導き出した。テストは、統計的に顕著な傾向を示し、これは、右利きのゴルファに関しては、基端ウエイト部材３００Ａはボール飛行を変更してボール２０が、基端ウエイト部材３００Ａまたは末端ウエイト部材３００Ｂを組み入れず、それ以外は同一のゴルフクラブ１００で打撃したショットの右側に停止するようになりがちであることを示し、また、末端ウエイト部材３００Ｂはボール飛行を変更してボール２０が、基端ウエイト部材３００Ａまたは末端ウエイト部材を組み入れず、それ以外は同一のゴルフクラブ１００で打撃したショットの左側に停止するようになりがちであることを示した。また、テストは、基端ウエイト部材３００Ａまたは末端ウエイト部材３００Ｂの質量を増加させることにより基端ウエイト部材３００Ａまたは末端ウエイト部材３００Ｂの効果が増幅させられることを示した。最後に、テストは、回転オフセット比が大きいゴルファの方が小さいゴルファに較べて、基端ウエイト部材３００Ａまたは末端ウエイト部材３００Ｂの効果がより大きいことを示した。図１２はドライバに向けられているけれども、この傾向は、例えばフェアウェイ、ハイブリッド、アイアン、およびウェッジを含む他のクラブにも適用される。
【００４５】
テストは、基端ウエイト部材３００Ａが、基端ウエイト部材３００Ａまたは末端ウエイト部材３００Ｂを組み入れず、それ以外は同一のゴルフクラブ１００に較べて、インパクト時のクラブフェースを若干オープンにする傾向があることを示した。また、テストは、末端ウエイト部材３００Ｂが、基端ウエイト部材３００Ａまたは末端ウエイト部材を組み入れず、それ以外は同一のゴルフクラブ１００に較べて、インパクト時のクラブフェースを若干クローズドにする傾向があることを示した。インパクト時のフェース角に対する基端ウエイト部材３００Ａおよび末端ウエイト部材３００Ｂの効果は、少なくとも部分的には、改善した重量分布を採用しない標準的なゴルフクラブ１００で打撃したショットと比較した、ゴルファのショットに関する分散距離の変化が原因であると理解される。先に検討したように、インパクト時にクラブフェースがクローズドであると、プル４０、ドロウ６０、またはプル−ドロウがもたらされ、インパクト時にクラブフェースがオープンであると、プッシュ５０、フェード７０、またはプッシュ−フェードがもたらされる。基端ウエイト部材３００Ａおよび末端ウエイト部材３００Ｂはインパクト時のフェース角のみでなくスイングの他の側面にも影響を与えることを理解することは重要であり、他の側面のいくつかは、分散距離に関するインパクトである。
【００４６】
いくつかの実施例において、ゴルファ１０はフィッティングシステムを利用してそのスイングに対して最適なゴルフクラブ重量分布を決定して分散距離を最小化できる。図１３Ａ〜図１３Ｅは、ゴルファ１０に対して最適なゴルフクラブの重量分布を決定するためのプロセスを示す。図１３Ａに示すように、いくつかの実施例において、フィッティングプロセスは、ゴルファのスイングの１または複数の動的挙動特徴を監視するステップ４０５を含んで良い。いくつかの実施例において、Ｍａｒｇｏｌｅｓ出願で説明されたフィッティングシステムを採用して、特徴が、監視され、測定され、または、計算されて良い。付加的なステップ４１０は、ゴルフクラブ１００の重量分布を変更してゴルファ１０による打撃されたショットに対する分散距離を最小化することを含んで良い。いくつかの実施例において、動的挙動特徴は回転角αを含んで良い。いくつかの実施例において動的挙動特徴はグリップ−ボールオフセットＤｘを含んで良い。いくつかの実施例において、図１３Ｂのステップ４１５に示されるように、動的挙動特徴はゴルファのスイングの回転オフセット比を含んで良い。いくつかの実施例において、図１３Ｃに示すように、フィッティングプロセスは、ゴルファ１０によって打撃された少なくとも１つのショットに関して分散距離を測定するステップ４２０を含んで良い。測定された分散距離を採用して必要なボール飛行補正の量を決定し、もって、ゴルフクラブ１００の適切な重量分布を決定し、ゴルファ１０により打撃されたショットの分散距離を最小化して良い。いくつかの実施例において、図１３Ｄに示すように、フィッティングプロセスは、相互交換可能なウエイト部材の組から適切なウエイト部材を選択してゴルフクラブ１００の重量分布を変更してゴルファ１０によって打撃されたショットの分散距離を最小化するステップを含んで良い。
【００４７】
いくつかの実施例において、図１３Ｅに示すように、フィッティングプロセスは、ウエイト部材が、ゴルファ１０により打撃されたショットに関して分散距離を最小化する上で役に立つかどうかを決定するステップ４３０を含んで良い。付加的なステップ４３５は、ゴルファ１０がすでに目標線３０に沿ってショットを打撃しているならば、クラブの重量分布を変更しないことを含んで良い。ゴルファ１０が目標線３０の左側または右側にショットを打つならば、付加的なステップ４４０は、基端ウエイト部材３００Ａまたは末端ウエイト部材３００Ｂを選択してボール飛行を修正することを含んで良い。付加的なステップ４４５は、ウエイト部材の質量を選択して、補正量を所望のものにしゴルファ１０により打撃されたショットに関する分散距離を最小化することを含んで良い。
【００４８】
上述のとおり、図５〜図８に示す右利きのゴルファ１０の回転オフセット比は約３００度／メータである。ここで、例えば、図５〜図８に示すゴルファが一貫してボールを目標線３０の左に打撃し、その平均が約８ヤードの分散距離であるとし、分散距離を最小化したい場合を仮定する。上述し、かつ図１２で示されるテストおよびトレンドに基づくと、フィッティングシステムはゴルフクラブ１００の重量分布を変更するために器官ウエイト部材を推奨し、これがゴルフ飛行を目標線３０に向かって左に修正し、基端ウエイト３００Ａ付きのゴルフクラブ１００を用いてゴルファ１０によるショットに関して分散距離を最小化させる。このゴルファ１０は目標線３０に対して約８ヤードの分散距離が平均であるから、フィッティングシステムは、６０グラムの基端ウエイト部材３００Aを推奨して良く、もって、ゴルフボール飛行を目標線に戻すボール飛行の修正量を実現する。ゴルファ１０の回転オフセット比がより大きかったならば、より小さな基端ウエイト部材３００Aが適切であろう。ゴルファ１０の回転オフセット比がより小さかったならば、より大きな基端ウエイト部材３００Aが適切であろう。他方、ゴルファ１０が一貫してボール２０を目標線３０の右に打撃したならば、フィッティングシステムは末端ウエイト部材を推奨したであろう。いくつかの実施例において、フィッティングプロセスは、ゴルファのクラブに推奨のウエイト部材がフィットされたら、直ちにボール飛行および分散距離を評価することを含んで良い。いくつかの実施例において、このプロセスの少なくとも一部を繰り返してゴルフクラブ１００の重量分布を微細調整して良い。いくつかの実施例において、調整可能なウエイト部材システムは単一の基端ウエイト部材および単一の末端ウエイトシステムを含んで良く、フィッティングシステムは、ゴルファが目標線の左または右側に打撃を行ったかに応じて、基端ウエイト部材または末端ウエイト部材のいずれかを推奨した良い。
【００４９】
図１４Ａは、ウエイト収容グリップ２００の１実施例の断面図を示し、図１４Ｂはウエイト収容グリップ２００の一部を示す。いくつかの実施例において、調整可能なウエイト部材システムはウエイト収容グリップ２００を含んで良い。グリップ２００は、全体的に筒状の部材を有して良く、これはシャフト穴２０８を具備し、シャフト１１０の基端部分を包囲するように構成されている。ウエイト保持部分２１０はウエイト部材を収容するように構成されて良い。いくつかの実施例において、ウエイト保持部分２１０は、基端ウエイト部材３００Ａを収容するように構成されている。いくつかの実施例において、ウエイト保持部分２１０は、末端ウエイト部材３００Ｂを収容するように構成されている。いくつかの実施例において、図１４Ａおよび図１４Ｂに示すように、ウエイト保持部分２１０は基端ウエイト部材３００Ａまたは末端ウエイト部材３００Ｂのいずれかを収容することができる。図１４Ｂに示すように、ウエイト保持部分２１０は、ウエイト部材３００Ａ、３００Ｂ、または３００Ｃを収容し、保持するように構成されたキャビティ２１５を含む。キャビティ２１５はグリップの内側表面２２０の内部に形成される。キャビティ２１５はグリップの内側表面２２０より大きな径を有する。いくつかの実施例において、ウエイト保持部分２１０は、ウエイト部材３００Ａ、３００Ｂ、３００Ｃが実装され、または取り外されるときに、ウエイト部材３００Ａ、３００Ｂ、３００Ｃを収容するように構成される穴２２５を含んでよい。
【００５０】
図１５は、基端ウエイト部材３００Ａの１実施例を示す。いくつかの実施例において、基端ウエイト部材３００Ａはグリップ結合部分３０５Ａを含んで良い。グリップ結合部分３０５Ａはグリップ２００と係合するように構成されて良い。いくつかの実施例において、グリップ結合部分３０５Ａはグリップ２００のウエイト保持部分２１０と係合するように構成されている。いくつかの実施例において、グリップ結合部分３０５Ａはグリップ２００のキャビティ２１５と係合するように構成されている。いくつかの実施例において、グリップ結合部分３０５Ａは、グリップ２００のキャビティ２１５と係合するように構成されたグリップ係合部材３１０Ａを含んで良い。いくつかの実施例において、基端ウエイト部材３００Ａは、実質的に円形の形状をしており、グリップ係合部材３１０Ａは、基端ウエイト部材３００Ａの残りの部分より径が大きくなっていて良い。いくつかの実施例において、グリップ係合部材３１０Ａの直径はグリップ２００のキャビティ２１５の直径と実質的に同一で良い。いくつかの実施例において、グリップ２００のキャビティ２１５の直径より若干大きく、または小さくて良い。グリップ係合部材３１０Ａの厚さは、グリップ２００のキャビティ２１５の高さと実質的に同一であって良く、これによって、グリップ係合部材３１０Ａがグリップ２００のキャビティ内に留まり、グリップ２００内に基端ウエイト部材３００Ａを保持できるようになっている。
【００５１】
いくつかの実施例において、基端ウエイト部材３００Ａは、重量付部分３１５Ａも含んで良い。重量付部分３１５Ａはグリップ係合部材３１０Ａの末端に位置付けられて良い。重量付部分３１５Ａはグリップ結合部材３０５Ａの近くにあって良い。いくつかの実施例において、重量付部分３１５Ａはグリップ結合部分３０５Ａに一体に形成されて良い。図１７に示すように、重量付部分３１５Ａは、グリップ結合部分３０５Ａと別に形成され、グリップ結合部分３０５Ａに固着される。いくつかの実施例において、重量付部分３１５Ａは約５グラムから約１５０グラムの任意の範囲の重量であって良い。いくつかの実施例において、基端ウエイト部材３００Ａのいくつかの質量オプションを含んで良い複数のウエイト部材が提供されて良く、これは例えば、１５グラム、３０グラム、４５グラム、６０グラムを含んで良い。いくつかの実施例において、ゴルフクラブ１００は、基端ウエイト部材３００Ａおよび末端ウエイト部材３００Ｂの付加を埋め合わせるように軽量シャフト１１０を採用して良い。いくつかの実施例において、軽量シャフト１１０の質量は約４５グラムおよび６０グラムの間であって良く、より好ましくは約５０グラムおよび５５グラムの間であって良い。いくつかの実施例において、ゴルフクラブ１００は、基端ウエイト部材３００Ａおよび末端ウエイト部材３００Ｂの付加を埋め合わせるように軽量グリップ２００を採用して良い。いくつかの実施例において、軽量グリップ２００の質量は約２０グラムおよび５０グラムの間であって良く、より好ましくは約２５グラムおよび４０グラムの間であって良く、さらに好ましくは約３０グラムおよび３５グラムの間である。
【００５２】
図１６は、末端ウエイト部材３００Ｂの１実施例を示す。いくつかの実施例において、末端ウエイト部材３００Ｂはグリップ結合部分３０５Ｂを含んで良く、これは基端ウエイト部材３００Ａに関連して上述したのと同様である。さらに、末端ウエイト部材３００Ｂは、重量付部分３１５Ｂを含んで良く、これは基端ウエイト部材３００Ａに関連して上述したのと同様である。末端ウエイト部材３００Ｂの重量付部分３１５Ｂは、図１６に示すように、グリップ結合部分３０５Ｂから末端側にずれており、そのため、グリップの基端１２０から末端側にずれている。いくつかの実施例において、重量付部分３１５Ｂは、ウエイトロッド３２０を介してグリップ結合部分３０５Ｂに固着されて良い。いくつかの実施例において、グリップ結合部分３０５Ｂ、ウエイトロッド３２０、および重量付部分３１５Ｂは一体に形成されて良い。いくつかの実施例において、グリップ結合部分３０５Ｂ、ウエイトロッド３２０、および重量付部分３１５Ｂは別々に形成されて相互に固着されて良い。いくつかの実施例において、グリップ結合部分３０５Ｂおよびウエイトロッド３２０が
一体に形成されて、重量付部分３１５Ｂに固着されて良い。基端ウエイト部材３００Ａまたは末端ウエイト部材３００Ｂの複数の部品は種々の技術により相互に結合されて良く、これは例えば、ボンディング、ねじ合わせ、干渉フィッティング、溶接、ろう付け、接着等を含む。
【００５３】
図１７は、図１４Ａおよび図１４Ｂのグリップ２００が実装された図１５の基端ウエイト部材３００Ａの断面図を示す。図１７に示すように、基端ウエイト部材３００Ａのグリップ係合部材３１０Ａは、グリップ２００のキャビティ２１５と係合して基端ウエイト部材３００Ａをグリップ２００内すなわちゴルフクラブ１００内に保持する。いくつかの実施例において、グリップ２００の穴２２５の径はキャビティ２１５の径より小さくてよく、これによって、グリップ２００の基端部分がウエイト保持リップ２３０を形成し、これが基端ウエイト部材３００Ａをグリップ２００のウエイト保持部分２１０に保持するように構成されている。ウエイト保持リップ２３０は基端ウエイト部材３００Ａのグリップ係合部材３１０Ａの基端表面に当接して良く、これによって、基端ウエイト部材３００Ａがキャビティ２１５から外れてしまうのを制限し、もって、基端ウエイト部材３００Ａがゴルフクラブ１００から滑り出してしまうのを制限する。
【００５４】
図１８は、図１４Ａおよび図１４Ｂのグリップ２００が実装された図１の末端ウエイト部材３００Ｂの断面図を示す。いくつかの実施例において、末端ウエイト部材３００Ｂのグリップ係合部材３１０Ｂは、グリップ２００のキャビティ２１５と係合し、これは基端ウエイト部材３００Ａに関連して上述したのと同様である。重量付部分３１５Ｂは図１８に示すようにグリップ結合部分３０５Ｂから末端側にずれており、シャフト穴２０８内、シャフト１１０の内部に位置決めされて良い。
【００５５】
ウエイト部材、とくに末端ウエイト部材に関して考慮すべき点の１つは、重量付部分３１５Ｂがシャフト１１０内で動き、シャフト１１０の内側壁１６０に衝突して、ゴルフクラブ１００を使用しているときにガタガタと音がするおそれがあるということである。いくつかの実施例において、末端ウエイト部材３００Ｂの重量付部分３１５Ｂは、重量付部分３１５Ｂのシャフト１１０の内側壁１６０に対する移動を制限するように構成された位置決め部材３２５を含んで良い。
【００５６】
図１９Ａ〜図１９Ｂは、末端ウエイト部材３００Ｂの重量付部分３１５Ｂに固着された位置決め部材３２５の実施例の断面図を示す。図２０Ａ〜図２０Ｂは位置決め部材３２５の実施例の底面図を示す。いくつかの実施例において、図２０Ａ〜図２０Ｂに示すように、位置決め部材３２５は実質的に円形であって良い。位置決め部材３２５は重量付部分３１５Ｂに固着されて良い。位置決め部材３２５はシャフト１１０の内側壁１６０と接触して良く、重量付部分３１５Ｂのシャフト１１０に対する移動を制約する。位置決め部材３２５はシャフト１１０に挿入するときに変形するように構成して良く、これによって、位置決め部材３２５および末端ウエイト部材３００Ｂを、異なる内側径の種々のシャフト１１０内に装着できる。いくつかの実施例において、重量付部分３１５Ｂはその末端側外側端部にラウンド部３１７を含んで良く、これによって、位置決め部材３２５が半径可能にし、その変形時に位置決め部材３２５における局所的なストレスを最小化する。他の実施例において、重量付部分３１５Ｂは面取り部を含んで良い。いくつかの実施例において、図１９に示すように、位置決め部材３２５は重量付部分３１５Ｂの末端部分に固定される。位置決め部材３２５は、ファスナ３３５を収容するように構成された中央穴３３０を含む。いくつかの実施例において、図１９Ａに示すように、ファスナ３３５は、重量付部分３１５Ｂのネジ穴３１６に係合するように構成されたネジ部分を有する。いくつかの実施例において、図示しないけれども、ファスナ３３５は保持クリップにおいてプッシュ部を有して良く、これはしばしばクリスマスツリークリップと呼ばれる。保持クリップのプッシュ部は、リブ補強されたシャンク部を有して良く、これが、一旦、ファスナ３３５が穴３１６中へと挿入されると、ファスナ３３５が重量付部分３１５Ｂから戻らないようにする。いくつかの実施例において、穴３１６はネジきりされて良い。他の実施例において、穴３１６は、リッジ、リブ、粗面、その他を有して良い。
【００５７】
いくつかの実施例において、図１９Ｂに示すように、重量付部分３１５Ｂは位置決め部材保持部分３３６を含んで良い。位置決め部材保持部分３３６は、重量付部分３１５Ｂから末端側に伸びる突起部を含む。位置決め部材保持部分３３６は、位置決め部材３２５を収容するように構成された溝と、この溝の末端側に隣接する拡張部とを含む。位置決め部材３２５の中央穴３３０は、溝中に配置される前に、拡大した末端部分を滑り込んでいくときに伸びるように構成されている。拡大末端部分は、溝中に、位置決め部材３２５を保持する。付加的な実施例において、図示しないけれども、位置決め部材３２５は、重量付部分３１５Ｂの基端側に位置付けられて良い。位置決め部材３２５は、ウエイトロッド３２０によって少なくとも部分的に保持されて良い。
【００５８】
図２０Ａおよび図２０Ｂに示すように、位置決め部材３２５は、複数の解放スロット３４５により分離される複数の係合アーム３４０を有し、これによって、位置決め部材３２５はシャフト１１０内への実装にあたって変形できるようになっている。位置決め部材３２５は、ゴルフクラブ１００がボール２０に衝突するときに、重量付け部分３１５Ｂをシャフト１１０の内側壁１６０に対するクッションとして働くように構成されて良い。いくつかの実施例において、図２０Ａに示すように、解放スロット３４５は実質的に矩形であって良く、係合アーム３４０は台形形状であって良い。いくつかの実施例において、図２０Ｂに示すように、解放スロットは台形形状であって良く、係合アーム３４０は矩形であって良い。いくつかの実施例において、解放スロット３４５は三角形であって良い。いくつかの実施例において、位置決め部材３２５は、１または複数の材料を有して良く、これは、例えば、プラスチック、熱可塑性材料、エラストマー、ポリカルボネート、アセタール樹脂、ポリエチレン、ポリプロピレン、ポリスチレン、ネオプレン、ゴム、その他を含んで良い。他の実施例において（図示しない）、位置決め部材３２５は、圧縮可能で弾力性がある材料を有して良く、これは少なくとも重量付け部分３１５Ｂの少なくとも一部を包囲する。いくつかの実施例において、位置決め部材３２５は、発泡材料、好ましくは、クローズドセルの発泡材料を有して良い。いくつかの実施例において、図示しないけれども、位置決め部材３２５は、重量付部分３１５Ｂの外側表面に固着されて良い。いくつかの実施例において、基端ウエイト部材３００Ａは、末端ウエイト部材３００Ｂに関連して先に説明したような位置決め部材３２５を採用しても良い。
【００５９】
図２１は、ウエイト部材配置ツール５００の１実施例の側面図を示す。図２２は、グリップ２００に実装された基端ウエイト部材３００Ａと係合する図２１のウエイト部材配置ツール５００の断面図を示す。いくつかの実施例において、調整可能なウエイト部材システムはウエイト部材配置ツール５００を含んで良い。ウエイト部材配置ツール５００は、基端ウエイト部材３００Ａおよび末端ウエイト部材３００Ｂを係合し、ゴルフクラブ１００への装着、取り外しを支援するように構成されている。いくつかの実施例において、図２２に示すように、ウエイト部材配置ツール５００はネジきりされ、ウエイト部材３００Ａ、３００Ｂの基端部分に形成された内部ネジ切りツール係合部分３５０とネジ係合するように構成されている。ウエイト部材配置ツール５００がウエイト部材３００Ａ、３００Ｂと、一旦、係合すると、ゴルファ１０はウエイト部材配置ツール５００の基端部分５２０を手で把持して、ウエイト部材３００Ａ、３００Ｂに実装し、また取り外しできる。
【００６０】
図２３は、グリップ２００に実装された非重量付キャップ３００Ｃの断面図を示す。いくつかの実施例において、ゴルファ１０はゴルフクラブ１００の標準的に重量分布を好むかもしれず、基端ウエイト部材３００Ａまたは末端ウエイト部材３００Ｂを必要としない。図２３に示すような、非重量付キャップ３００Ｃは、基端ウエイト部材３００Ａおよび末端ウエイト部材３００Ｂのグリップ結合部分３０５Ａ、３０５Ｂと構造上類似するけれども、重量付部分３１５Ａ、３１５Ｂを含まない。非重量付キャップ３００Ｃは、基端ウエイト部材３００Ａおよび末端ウエイト部材３００Ｂと一貫性のある外観を実現でき、しかもゴルフクラブ１００の重量分布を顕著に変更することがない。
【００６１】
図１７において示し先に検討したように、グリップは、ウエイト保持リップ２３０を含んで良く、これは、グリップ２００のウエイト保持部分２１０内にウエイト部分のグリップ結合部分３０５Ａ、３０５Ｂを保持して良い。本質的に、ウエイト保持リップ２３０はウエイト部材３００Ａ、３０５Ｂをゴルフクラブ１００に装着し、取り外すのを阻止できる。図２４および図２５は、グリップ伸長ツール６００の１実施例の斜視図を示す。いくつかの実施例において、調整可能ウエイト部材システムはウエイト部材３００Ａ、３００Ｂの取り付け取り外しを支援するように構成されたグリップ伸長ツール６００を含んで良い。
【００６２】
図２４〜図２８に示すように、グリップ伸長ツール６００は、グリップ２００の部分を伸長してウエイト部材３００Ａ、３０５Ｂの取り付け、取り外しを可能にするように構成された良い。ツールの一部は、グリップ２００の穴２２５に入りウエイト保持リップ２３０を拡張するように構成されて良く、これによって、ウエイト部材３０５Ａ、３０５Ｂを取り付け、取り外しできる。グリップ伸長ツール６００は、ゴルファ１０の手で係合できるように構成された第１グリップ６１２および第２グリップ６２２を含んで良い。グリップ伸長ツール６００は、グリップの穴２２５と係合するように構成された複数の伸長部材６４０も含んで良い。ゴルファが第１グリップ６１２を第２グリップ６２２へと力を加えるとき、伸長部材がグリップの穴に係合して、グリップ２００のウエイト保持リップ２３０を変更させ、グリップ２００の穴２２５の内側表面の径を増大させ、ウエイト部材をゴルフクラブ１００への取り付け取り外しを可能にする。
【００６３】
図２７〜図２８に示すように、グリップ伸長ツール６００は第１部材６１０および第２部材６２０を含んで良い。第１部材６１０は、図２４〜図２４に示すように、第２部材６２０に回転可能に結合されて良い。第１部材６１０は、第１グリップ６１２を有して良く、第２部材６２０は、第２グリップ６２２を有して良い。グリップ伸長ツール６００は、第１グリップ６１２を第２グリップ６２２へと押すと第１部材６１０が第２部材６２０に対して回転させ、複数の伸長部材６４０を外側に押すように構成されて良く、グリップ２００の穴２２５の内側表面の径が増大させられ、ウエイト部材をゴルフクラブ１００に取り付け、取り外しできるようになる。いくつかの実施例において、グリップ伸長ツール６００は第１グリップ６１２を第２グリップ６２２から遠ざけるように力を付与するように構成されたバネ６０５を含む。グリップ伸長ツール６００は、ウエイト挿入ポート６３０を含み、これは、ウエイト部材３００Ａ、３００Ｂをゴルフクラブ１００に取り付け、取り外すときに、ウエイト部材３００Ａ、３００Ｂがウエイト挿入ポート６３０を滑り抜けるように構成されている。
【００６４】
組み立てられると、伸長ツールは、第１部材６１０側に第１の外側表面６１４を具備し、第２部材６２０側に第２の外側表面６２４を具備する。グリップ伸長ツール６００は、使用時に、グリップ２００の基端に隣接して配置されて良く、第２部材６２０の第２の外側表面６２４がゴルフクラブ１００の近くにあり、第１部材６１０の外側表面６１４がゴルフクラブ６１４から離れる。第１部材６１０は内側表面６１５を含み、これが第１の外側表面６１４に対向する。第２部材６２０は内側表面６２５を含み、これが第２の外側表面６２４と対向する。
【００６５】
いくつかの実施例において、グリップ伸長ツール６００は、複数の伸長部材６４０を含んで良い。いくつかの実施例において、図２４〜図３２に示すように、グリップ伸長ツール６００は、４つの伸長部材６４０を含む。他の実施例において、グリップ伸長ツール６００は、例えば、２、３、５、６、それより多くの伸長部材６４０を含んで良い。いくつかの実施例において、図２４〜図３４に示すように、各伸長部材６４０は、第１部材６１０が第２部材６２０に対して回転するように働くように構成される。各伸長部材６４０は、異なる経路に沿って移動するように形成され、この各経路に沿って伸びる線は、ウエイト挿入ポート６３０の中心を通り抜ける軸に交差するようになっている。各経路は、ウエイト挿入ポート６３０の中心を通り抜ける軸と、実質的に直行する。各伸長部材６４０は、グリップ２００の穴２２５の内側表面に係合するように構成されたグリップ伸長突起６４２を含む。複数の伸長部材６４０のグリップ伸長突起６４２は、グリップ２００の穴の内側表面と係合するように構成された分割され実質的に英系の表面を形成する。第１グリップ６１２を第２グリップ６２２に押し、第１部材６１０が第２部材６２０に対して回転すると、複数の伸長部材６４０がウエイト挿入ポート６３０の中心から外側に力を受け、伸長部材６４０のグリップ伸長突起６４２により形成された実質的に円形の表面の直径を実効的に増大させる。いくつかの実施例において、第２部材６２０は、使用時に、ゴルフクラブ１００に対して制止するように構成されて良く、第１部材は第２部材６２０とともにゴルフクラブ１００に対して回転するように構成されて良い。他の実施例いおいて（図示しない）、複数の伸長部材６４０は、グリップが狭められるときに、ウエイト挿入ポート６３０の中心へと付勢されるように構成されてよく、グリップが離れるときに、バネ６０５の力により複数の伸長部材６４０がウエイト挿入ポート６３０の中心から遠ざかるように外側に付勢される。
【００６６】
図２６に示すように、グリップ伸長突起６４１はグリップ２００の穴２２５に挿入されるように構成される。図２９および図３２に示すように、グリップ伸長突起６４２は、グリップ伸長突起６４２がグリップ２００の穴２２５内に挿入できる距離を制限するように構成された棚部６４８を含む。棚部６４８は、グリップ伸長突起６４２をグリップ２００の穴２２５に挿入するときに、グリップ２００のウエイト保持リップ２３０と当接するように構成されている。いくつかの実施例において、伸長突起が、ウエイト保持リップ２３０の厚さを越えてグリップ２００の穴２２５に挿入されていかないように、棚部６４８が伸長突起６４２に位置決めされて良い。グリップ伸長ツール６００の第１グリップ６１２および第２グリップ６２２が絞られるとき、複数の伸長部材６４０が外側に付勢され、グリップ伸長突起６４２が穴２２５の内側表面に接触し、グリップ２００のウエイト保持リップ２３０を変形させ、グリップ２００の穴２２５の内側表面の内側径が増大し、ウエイト挿入ポート６３０、グリップ２００の穴２２５を通じて、ゴルフクラブ１００に対して、ウエイト部材を取り付け、取り外し可能になる。
【００６７】
図２７〜図３１に示されるように、複数の伸長部材６４０は、第１部材６１０が第２部材６２０に対して回転するときに伸長部材６４０を移動させる種々の位置決め機構を含んで良い。複数の伸長部材６４０の各々の一部が、第１部材６１０の内側表面６１５および第２部材６２０の内側表面６２５の間に配されるように構成される。図２７に示すように、第１部材６１０の内側表面６１５は複数のスライドポスト６１７を含む。図２９〜図３１に示すように、複数の伸長部材６４０は、各々、スライドポスト６１７をスライド可能に収容するように構成されたスライドスロット６４４を含んで良い。図２８に示すように、第２部材６２０の内側表面６２５は複数の案内レール６２７」を含む。図２９〜図３１に示すように、複数の伸長部材６４０は、各々、案内レール６２７をスライド可能に収容するように構成された案内溝６４５を含む。いくつかの実施例において、スライドスロット６４５は伸長部材６４０を完全に通り抜ける貫通スロットであり、案内溝６４５はブラインドで、伸長部材６４０をすべては通りに抜けていない。複数の伸長部材６４０は、グリップ伸長ツール６００内に、スライドスロット６４４がスライド可能にスライドポスト６１７と係合し、案内溝６４５が案内レール６２７とスライド可能に係合するように、実装されて良い。
【００６８】
いくつかの実施例において、案内レール６２７および案内溝６４５は、それらがウエイト挿入ポート６３０の中心に近づき、または遠ざかるように移動するのを、唯一、許容するように整合される。案内レール６２７および案内溝６４５は、第１部材６１０が第２部材６２０に対して回転させられるときに、伸長部材６４０が第２部材と一緒に回転するように構成されている。スライドスロット６４４およびスライドポスト６１７は、第１部材６１０が第２部材６２０に対して回転させられ、伸長部材６４０が第１部材６１０に対して回転するときに、伸長部材６４０が案内レール６２７に沿って、ウエイト挿入ポート６３０の中心に向かって、または遠ざかるように移動するように、構成されている。いくつかの実施例において、図２４〜図３４に示すように、伸長部材６４０は、第１グリップ６１２を第２グリップ６２２に対して絞り込まれていくとき、ウエイト挿入ポート６３０の中心から遠ざかるように構成されている。いくつかの実施例において、案内溝６４５および案内レール６２７が伸長部材６４０の変換移動を制限して所望の変換移動の範囲を実現する。他の実施例において（図示しない）、スライドスロット６４４の角度は、逆であって良く、伸長部材６４０は、第１グリップ６１２を第２グリップ６２２に対して絞り込まれていくとき、ウエイト挿入ポート６３０の中心に近づくように構成されて良い。
【００６９】
いくつかの実施例において、図２８に示すように、グリップ伸長ツール６００は複数のスペーサ６２６を含む。スペーサ６２６は、第１部材６１０の内側表面６１５を第２部材６２０の内側表面６２５から離間させるように構成され、もって、第１部材６１０およびだい２部材６２０の間に隙間が形成されて伸長部材６４０が第１部材６１０および第２部材６２０の双方に対して移動できるようになっている。いくつかの実施例において、スペーサ６２６は第２部材６２０に固着されている。いくつかの実施例において、図２８に示すように、スペーサ６２６は第２部材６２０と一体に形成されている。他の実施例において、スペーサ６２６は第１部材６１０に固着され、または一体に形成されて良く、第２部材６２０にファスナ６０８に付いて良い。いくつかの実施例において、第１部材６１０は、複数のファスナ６０８および結合スロット６１６によって第２部材６２０に回転可能に結合される。第２部材６２０は、ファスナ穴６２９を有して良く、ファスナ（複数）が第２部材６２０のファスナ穴６２９に係合するように構成されて良い。いくつかの実施例において、第１部材６１０は、複数の結合スロット６１６を含み、これらスロット６１６の各々がファスナ６０８の一部をスライド可能に収容するように構成されている。いくつかの実施例において、結合スロット６１６の幅は、ファスナ６０８の脚部直径と相補的になり、それでいてファスナ６０８の頭部１４０が結合スロット６１６を通り抜けないように構成され、これによって、第１部材６１０を第２部材６２０に締め付け、それでいて、ファスナが結合スロット６１６内でスライドできるようになし、もって、第１部材６１０が第２部材６２０に対して回転できるようになっている。いくつかの実施例において、スペーサ６２６は、複数の伸長部材６４０とスライド可能に組み合わされることにより、案内レール６２７の機能を置換して良い。いくつかの実施例において、スペーサ６２６は、案内レール６２７との関連で伸長部材６４０を案内しても良い。いくつかの実施例において、スペーサは当接表面６２８を含み、これが、図２８に示すように、伸長部材６４０の移動を制約する。
【００７０】
付加的な実施例において、図３７に示すように、グリップ伸長ツール６００は、各ファスナ６０８の脚部の一部を包囲するように構成された複数のスリーブ６０９を含んで良い。スリーブはファスナ６０８の脚部と実質的に類似の内側直径を有し、第１部材６１０に形成された結合スロット６１６の幅と実質的に類似の外側直径を有して良い。スリーブ６０９の高さは、ファスナ６０８の頭部が第１部材６１０に対して底当たりしないようにし、かつ、第１部材が第２部材に対して回転するのを拘束するように、構成される。いくつかの実施例において、スリーブ６０９は、第１部材６１０の厚さより若干高く、もって、グリップ伸長ツール６００を拘束することなしに、ファスナ６０８の締め付けを弱くできる。いくつかの実施例において、スリーブ６０９はスペーサ６２６と当接するように構成されて良い。いくつかの実施例において、図示しないけれども、スリーブ６０９はファスナと一体に形成されて良く、これは肩ボルトと類似である。いくつかの実施例において、図３８に示すように、スペーサ６２６は第２スリーブを有してよく、ここで、スペーサ６２６は第１部材６１０または第２部材６２０と分離して形成される。スペーサ６２６はファスナの脚部の直径と実質的に類似の内側直径、および結合スロット６１６の幅より大きな外側直径を有して良い。スペーサ６２６は、だ１部材６１０を第２部材６１２から適切な距離だけ離し、もって、伸長部材６４０が第１部材６１０および第２部材６１２に対して移動できるようになす。
【００７１】
ここで説明したように、グリップ伸長ツール６００のいくつかの機構は、第１部材６１０または第２部材６２０との関連で説明されて良いけれども、付加的な実施例においては、これらの機構は、反対の部材に適応されて良く、図面に具体的に説明されない種々の組み合わせ、および構成において適応されて良い。
【００７２】
いくつかの実施例において、基端ウエイト部材３００Ａおよび末端ウエイト部材３００Ｂはここで説明された態様に比べてより永久的な態様で実装されて良い。図３５は、慣用的なグリップ２００Ｂを採用するゴルフクラブ１００に実装された基端ウエイト部材３００Ｄの１実施例の断面図を示す。図３６は、慣用的なグリップ２００Ｂを採用するゴルフクラブ１００に実装された末端ウエイト部材３００Ｅの１実施例の断面図を示す。図３５および図３６に示すように、いくつかの実施例において、ウエイト部材３００Ｄ、３００Ｅは取り外しできず、慣用的なブリップ２００Ｂによって保持されるように構成されており、グリップ２００Ｂ内に係合用のキャビティ２１５を必要とせず、一旦グリップ２００Ｂが取り付けられると、これらウエイト部材を取り外しできない。図３５および図３６に示す基端ウエイト部材３００Ｄおよび末端ウエイト部材３００Ｅの双方は、グリップ２００Ｂをクラブに取り付ける前にシャフト１１０に取り付けられるように構成されている。ゴルファ１０は、先に説明したフィッティングプロセスを利用して、先に説明したウエイト部材３００Ａ、３００Ｂ、３００Ｃを採用してテストを行って良く、そして、取り外しできない基端ウエイト部材３００Ｄ、または図３６に示すような、取り外しできない末端ウエイト部材３００Ｅを採用して好ましい重量分布を有するようにあつらえた１または複数のクラブを保有して良い。取り外しできないウエイト部材３００Ｄ、３００Ｅは、ここで使用されるように、グリップ２００Ｂをゴルフクラブ１００のシャフト１１０から取り外さない限り、ゴルフクラブ１００から取り外すことができないウエイト部材を記述する。
【００７３】
ここで説明されるウエイト部材およびツールは、種々の材料を有して良い。いくつかの実施例において、ウエイト部材は１または複数の材料を有して良く、これらは、例えば、プラスチック、アルミニウム、スチール、ステンレススチール、真鍮、鉛、タングステン、複合材、その他を含んで良い。いくつかの実施例において、ウエイト部材の重量付部分３１５Ａ、３１５Ｂは、ウエイト部材３００Ａ、３００Ｂの重量を所望の位置に集約するために、グリップ結合部分３０５Ａ、３０５Ｂまたはウエイトロッド３２０より密度の大きな材料を有して良い。いくつかの実施例において、グリップ伸長ツール６００は、１または複数の材料を有して良く、これらは、例えば、プラスチック、ゴム、アルミニウム、スチール、ステンレススチール、複合材、その他を含んで良い。いくつかの実施例において、ウエイト部材３００Ａ，３００Ｂ、またはグリップ伸長ツール６００の部分は、種々の部分を一体に結合するためにファスナを採用して良い。いくつかの実施例において、ファスナは、例えば、ネジファスナ、リベット、その他であって良い。いくつかの実施例において、グリップは柔軟性のある材料を有して良く、これは例えば、ゴムを含み、これによって、グリップ伸長ツール６００がグリップ２００の一部を変形でき、もって、ウエイト部材３００Ａ、３００Ｂを取り付けたり、取り外したりできる
【００７４】
この技術を説明するにあたり、別々の実施例の文脈で説明される所定の複数の特徴は、単一の実施例においてコンビネーションとしても実装できる。逆に、単一の実施例の文脈で説明される種々の特徴が、複数の実施例で個別に実装でき、また任意の適切なサブコンビネーションで実装できる。さらに、複数の特徴は所定のコンビネーションにおいて実施するように先に説明したかもしれず、またそのように、当初、特許請求の範囲に記載したかもしれないが、そのように記載されたコンビネーションから、１または複数の特徴をある場合にはそのコンビネーションから除去して良く、そのようなクレームのコンビネーションはサブコンビネーションまたはサブコンビネーションの変形に向けられて良い。
【００７５】
この開示において説明した実施態様の種々の変形が当業者には明らかであり、ここに定義される包括的な原理はこの開示の趣旨または範囲から逸脱することなしに他の実施対応に適応されて良い。特許請求の範囲は、ここに示される実施態様に限定されることを意図せず、この開示、ならびにここに開示された原理および新規な特徴と合致する最も広い範囲のものに準拠すべきである。
【符号の説明】
【００７６】
１０    ゴルファ
２０    ゴルフボール
３０    目標線
４０    プル
５０    プッシュ
６０    ドロウ
７０    フェード
８０    地面平面
９０    回転参照平面
１００    ゴルフクラブ
１１０    シャフト
１２０    基端
１３０    末端
１４０    ゴルフクラブヘッド
１５０    グリップ部分
１６０    内側壁
２００    ウエイト収容グリップ
２０５    クラブ参照ポイント
２０８    シャフト穴
２１０    ウエイト保持部分
２１５    キャビティ
３００    ウエイト部材
３００Ｃ    非重量付キャップ
５００    ウエイト部材配置ツール
６００    グリップ伸長ツール
【図１】
2015173982.tif 000003
【図２】
2015173982.tif 000004
【図３】
2015173982.tif 000005
【図４】
2015173982.tif 000006
【図５】
2015173982.tif 000007
【図６】
2015173982.tif 000008
【図７】
2015173982.tif 000009
【図８】
2015173982.tif 000010
【図９】
2015173982.tif 000011
【図１０】
2015173982.tif 000012
【図１１】
2015173982.tif 000013
【図１２】
2015173982.tif 000014
【図１３Ａ】
2015173982.tif 000015
【図１３Ｂ】
2015173982.tif 000016
【図１３Ｃ】
2015173982.tif 000017
【図１３Ｄ】
2015173982.tif 000018
【図１３Ｅ】
2015173982.tif 000019
【図１４Ａ】
2015173982.tif 000020
【図１４Ｂ】
2015173982.tif 000021
【図１５】
2015173982.tif 000022
【図１６】
2015173982.tif 000023
【図１７】
2015173982.tif 000024
【図１８】
2015173982.tif 000025
【図１９Ａ】
2015173982.tif 000026
【図１９Ｂ】
2015173982.tif 000027
【図２０Ａ】
2015173982.tif 000028
【図２０Ｂ】
2015173982.tif 000029
【図２１】
2015173982.tif 000030
【図２２】
2015173982.tif 000031
【図２３】
2015173982.tif 000032
【図２４】
2015173982.tif 000033
【図２５】
2015173982.tif 000034
【図２６】
2015173982.tif 000035
【図２７】
2015173982.tif 000036
【図２８】
2015173982.tif 000037
【図２９】
2015173982.tif 000038
【図３０】
2015173982.tif 000039
【図３１】
2015173982.tif 000040
【図３２】
2015173982.tif 000041
【図３３】
2015173982.tif 000042
【図３４】
2015173982.tif 000043
【図３５】
2015173982.tif 000044
【図３６】
2015173982.tif 000045
【図３７】
2015173982.tif 000046
【図３８】
2015173982.tif 000047
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
ゴルファのスイングに対してゴルフクラブの重量分布を最適化する方法において、
上記ゴルファのスイングの１または複数の動的挙動特性を監視するステップと、
上記ゴルファのスイングを利用した上記ゴルファにより目標へ打撃された少なくとも１つのゴルフボールの分散距離を測定するステップと、
上記ゴルフクラブの重量分布を変更して上記分散距離を最小化するステップとを有し、
目標線はアドレス位置の上記ゴルフボールと上記目標との間を伸びる線を有し、
上記分散距離は、上記ゴルファのスイングを用いて上記ゴルファにより打撃されたのちに上記ゴルフボールが停止する点まで、上記目標線から垂直に測定した、上記目標線からの距離として定義されることを特徴とする、ゴルフクラブ重量分布最適化方法。
【請求項２】
ゴルファのスイングに対してゴルフクラブの重量分布を最適化する方法において、
上記ゴルファのスイングの１または複数の動的挙動特性を監視するステップと、
上記ゴルフクラブの重量分布を変更して上記分散距離を最小化するステップとを有し、
上記ゴルフクラブの重量分布を変更して上記分散距離を最小化するステップは、上記ゴルファのスイングの上記１または複数の動的挙動特性を評価するステップと、一組の相互交換可能なウエイト部材の中から１のウエイト部材を選択するステップと、上記ウエイト部材を上記ゴルフクラブ内に実装するステップとを有することを特徴とする、ゴルフクラブ重量分布最適化方法。
【請求項３】
ゴルフクラブの重量分布を最適化するシステムにおいて、
ウエイト収容グリップと、
基端ウエイト部材と、
末端ウエイト部材と、
グリップ伸長ツールとを有し、
上記ウエイト収容グリップは、ゴルフクラブシャフトの基端に固着されるように構成され、
上記ウエイト収容クリップは、上記シャフトの基端部分を包囲するように構成られたシャフト穴を有する、全体として筒状の部材を有し、上記ウエイト収容グリップは上記ウエイト収容グリップの基端にウエイト保持部分を有し、上記ウエイト保持部分はウエイト部材と係合するように構成され、
上記基端ウエイト部材は、グリップ結合部分および重量付部分を有し、上記基端ウエイト部材は上記ウエイト収容グリップ内に実装されるように構成され、上記グリップ結合部分は上記ウエイト収容グリップの上記ウエイト保持部分と係合するように構成され、上記重量付部分は上記グリップ結合部分の末端部分に隣接し、上記基端ウエイト部材の上記重量付部分は上記基端ウエイト部材の上記グリップ結合部分と隣接して位置決めされ、
上記末端ウエイト部材は、グリップ結合部分および重量付部分を有し、上記末端ウエイト部材は上記ウエイト収容グリップ内に実装されるように構成され、上記グリップ結合部分は上記ウエイト収容グリップの上記ウエイト保持部分と係合するように構成され、上記重量付部分は上記末端ウエイト部材の上記グリップ結合部分から末端側にずれ、上記末端ウエイト部材の上記重量付部分は上記末端ウエイト部材の上記グリップ結合部分から少なくとも５インチだけ末端側にずれ、
上記グリップ伸長ツールは、上記ウエイト収容グリップの部分を変形して上記ウエイト部材の上記ウエイト収容グリップへの取り付け、取り外しを容易にすることを特徴とするゴルフクラブ重量分布最適化システム。
【手続補正２】
【補正対象書類名】明細書
【補正対象項目名】００２１
【補正方法】変更
【補正の内容】
【００２１】
この技術の付加的な非制約的な実施例は、ルフクラブの重量分布を最適化するシステムを含み、このシステムは、ウエイト収容グリップと、基端ウエイト部材と、末端ウエイト部材と、グリップ伸長ツールとを有し、上記ウエイト収容グリップは、ゴルフクラブシャフトの基端に固着されるように構成され、上記ウエイト収容クリップは、上記シャフトの基端部分を包囲するように構成られたシャフト穴を有する、全体として筒状の部材を有し、上記ウエイト収容グリップは上記ウエイト収容グリップの基端にウエイト保持部分を有し、上記ウエイト保持部分はウエイト部材と係合するように構成され、上記基端ウエイト部材は、グリップ結合部分および重量付部分を有し、上記基端ウエイト部材は上記ウエイト収容グリップ内に実装されるように構成され、上記グリップ結合部分は上記ウエイト収容グリップの上記ウエイト保持部分と係合するように構成され、上記重量付部分は上記グリップ結合部分の末端部分に隣接し、上記基端ウエイト部材の上記重量付部分は上記基端ウエイト部材の上記グリップ結合部分と隣接して位置決めされ、上記末端ウエイト部材は、グリップ結合部分および重量付部分を有し、上記末端ウエイト部材は上記ウエイト収容グリップ内に実装されるように構成され、上記グリップ結合部分は上記ウエイト収容グリップの上記ウエイト保持部分と係合するように構成され、上記重量付部分は上記末端ウエイト部材の上記グリップ結合部分から末端側にずれ、上記末端ウエイト部材の上記重量付部分は上記末端ウエイト部材の上記グリップ結合部分から少なくとも５インチだけ末端側にずれ、上記グリップ伸長ツールは、上記ウエイト収容グリップの部分を変形して上記ウエイト部材の上記ウエイト収容グリップへの取り付け、取り外しを容易にする。
【手続補正３】
【補正対象書類名】明細書
【補正対象項目名】００７５
【補正方法】変更
【補正の内容】
【００７５】
この開示において説明した実施態様の種々の変形が当業者には明らかであり、ここに定義される包括的な原理はこの開示の趣旨または範囲から逸脱することなしに他の実施対応に適応されて良い。特許請求の範囲は、ここに示される実施態様に限定されることを意図せず、この開示、ならびにここに開示された原理および新規な特徴と合致する最も広い範囲のものに準拠すべきである。
ここで説明した技術的特徴について以下に列挙する。
［技術的特徴１］
ゴルファのスイングに対してゴルフクラブの重量分布を最適化する方法において、
上記ゴルファのスイングの１または複数の動的挙動特性を監視するステップと、
上記ゴルファのスイングを利用した上記ゴルファにより目標へ打撃された少なくとも１つのゴルフボールの分散距離を測定するステップと、
上記ゴルフクラブの重量分布を変更して上記分散距離を最小化するステップとを有し、
目標線はアドレス位置の上記ゴルフボールと上記目標との間を伸びる線を有し、
上記分散距離は、上記ゴルファのスイングを用いて上記ゴルファにより打撃されたのちに上記ゴルフボールが停止する点まで、上記目標線から垂直に測定した、上記目標線からの距離として定義されることを特徴とする、ゴルフクラブ重量分布最適化方法。
［技術的特徴２］
１または複数の動的挙動特性を監視するステップは、上記ゴルファのスイングの測定部分を通じて上記ゴルファのスイングの回転角度を監視するステップを有し、上記目標線は地面平面と並行であり、回転参照平面は上記目標線と並行であり、かつ上記地面平面と直交し、さらに、上記回転角度は、上記ゴルファによりスイングされるゴルフクラブのグリップ部分と上記回転参照平面との間の相対的な角度として定義され、上記回転角度は上記地面平面と直交な軸の回りで測定される技術的特徴１記載のゴルフクラブ重量分布最適化方法。
［技術的特徴３］
１または複数の動的挙動特性を監視するステップは、上記ゴルファのスイングの測定部分を通じてグリップ−ボールオフセットを監視するステップを有し、上記ゴルファによりスイングされたゴルフクラブは、クラブ参照点を有し、上記クラブ参照点は上記ゴルフクラブの基端から上記ゴルフクラブの中心線に沿って約５．２５インチの点として定義され、上記グリップ−ボールオフセットは上記目標線に平行な軸に沿って、上記クラブ参照点から上記ゴルフボールの中心へと測定した距離として定義される技術的特徴２記載のゴルフクラブ重量分布最適化方法。
［技術的特徴４］
上記ゴルファのスイングの回転オフセットを計算するステップをさらに有し、上記回転オフセットは、上記ゴルファのスイングに上記測定部分に渡る、回転角度に対するグリップ−ボールオフセットのプロットに合致する直線のスロープとして定義される技術的特徴３記載のゴルフクラブ重量分布最適化方法。
［技術的特徴５］
上記ゴルファのスイングの上記測定部分は、ダウンスイング・グリップ水平位置で開始され、インパクト位置で終了し、上記ダウンスイング・グリップ水平位置は、上記ゴルフクラブの上記グリップ部分が上記地面平面と平行である上記ゴルファのスイングダウンスイング部分の瞬間として定義され、上記インパクト位置は、上記ゴルファによりスイングされた上記ゴルフクラブが上記ゴルフボールに衝突する瞬間として定義される技術的特徴４記載のゴルフクラブ重量分布最適化方法。
［技術的特徴６］
上記ゴルフクラブの重量分布を変更するステップは、上記ゴルファのスン具の上記回転オフセットを、上記ゴルフボールを打撃した上記ゴルファのスイングからもたらされる上記分散距離と比較するステップと、上記ゴルフクラブにウエイト部材を実装するステップとを有する技術的特徴５記載のゴルフクラブ重量分布最適化方法。
［技術的特徴７］
上記ゴルフクラブの重量分布を変更するステップは、さらに、一組の相互交換可能なウエイト部材の中から１のウエイト部材を選択するステップを有し、上記一組の相互交換可能なウエイト部材は、基端ウエイト部材および末端ウエイト部材を有し、上記基端ウエイト部材は上記末端ウエイト部材と異なり、別々である技術的特徴６記載のゴルフクラブ重量分布最適化方法。
［技術的特徴８］
上記基端ウエイト部材は重量付部分を有し、上記基端ウエイト部材の上記重量付部分は、上記ゴルフクラブに実装したときに、上記クラブ参照点から基端側に位置付けられ、上記末端ウエイト部材は重量付部分を有し、上記末端ウエイト部材の上記重量付部分は上記ゴルフクラブに実装したときに、上記クラブ参照点から末端側に位置付けられる技術的特徴７記載のゴルフクラブ重量分布最適化方法。
［技術的特徴９］
上記ゴルフクラブは、シャフトの基端側にウエイト収容グリップを有し、上記ゴルフクラブの重量分布を変更するステップは、さらに、上記ウエイト収容グリップの基端部分をグリップ伸長ツールによって伸長するステップと、上記ウエイト収容グリップ中にウエイト部材を実装するステップとを有する技術的特徴１記載のゴルフクラブ重量分布最適化方法。
［技術的特徴１０］
ゴルファのスイングに対してゴルフクラブの重量分布を最適化する方法において、
上記ゴルファのスイングの１または複数の動的挙動特性を監視するステップと、
上記ゴルフクラブの重量分布を変更して上記分散距離を最小化するステップとを有し、
上記ゴルフクラブの重量分布を変更して上記分散距離を最小化するステップは、上記ゴルファのスイングの上記１または複数の動的挙動特性を評価するステップと、一組の相互交換可能なウエイト部材の中から１のウエイト部材を選択するステップと、上記ウエイト部材を上記ゴルフクラブ内に実装するステップとを有することを特徴とする、ゴルフクラブ重量分布最適化方法。
［技術的特徴１１］
上記一組の交換可能なウエイト部材は、基端ウエイト部材および末端ウエイト部材を有する技術的特徴１０記載のゴルフクラブ重量分布最適化方法。
［技術的特徴１２］
上記ゴルフクラブは、シャフト、上記シャフトの基端部分に固着されたグリップ、および、上記シャフトの末端部分に固着されたクラブヘッドを有し、上記ゴルフクラブは、クラブ参照点を有し、上記クラブ参照点は上記ゴルフクラブの基端から上記ゴルフクラブの中心線に沿って約５．２５インチの点として定義され、上記グリップ−ボールオフセットは上記目標線に平行な軸に沿って、上記クラブ参照点から上記ゴルフボールの中心へと測定した距離として定義され、上記基端ウエイト部材は重量付部分を有し、上記基端ウエイト部材の上記重量付部分は、上記ゴルフクラブに実装したときに、上記クラブ参照点から基端側に位置付けられ、上記末端ウエイト部材は重量付部分を有し、上記末端ウエイト部材の上記重量付部分は上記ゴルフクラブに実装したときに、上記クラブ参照点から末端側に位置付けられる技術的特徴１１記載のゴルフクラブ重量分布最適化方法。
［技術的特徴１３］
上記基端ウエイト部材の上記重量付部分は、上記ゴルフクラブに実装されたときに、上記ゴルフクラブの基端に直接に隣接して位置決めされ、上記末端ウエイト部材の上記重量付部分は、上記ゴルフクラブに実装されたときに、上記ゴルフクラブの基端から末端側にずれて位置決めされる技術的特徴１２記載のゴルフクラブ重量分布最適化方法。
［技術的特徴１４］
上記一組の交換可能なウエイト部材はさらに重みづけされていないキャップを有し、上記重みづけされていないキャップは約５グラムより小さな重量を有する技術的特徴１記載のゴルフクラブ重量分布最適化方法。
［技術的特徴１５］
上記ゴルフクラブは、シャフトの基端側にウエイト収容グリップを有し、上記ゴルフクラブの重量分布を変更するステップは、さらに、上記ウエイト収容グリップの基端部分をグリップ伸長ツールによって伸長するステップと、上記ウエイト収容グリップ中にウエイト部材を実装するステップとを有する技術的特徴１０記載のゴルフクラブ重量分布最適化方法。
［技術的特徴１６］
ゴルフクラブの重量分布を最適化するシステムにおいて、
ウエイト収容グリップと、
基端ウエイト部材と、
末端ウエイト部材と、
グリップ伸長ツールとを有し、
上記ウエイト収容グリップは、ゴルフクラブシャフトの基端に固着されるように構成され、
上記ウエイト収容クリップは、上記シャフトの基端部分を包囲するように構成られたシャフト穴を有する、全体として筒状の部材を有し、上記ウエイト収容グリップは上記ウエイト収容グリップの基端にウエイト保持部分を有し、上記ウエイト保持部分はウエイト部材と係合するように構成され、
上記基端ウエイト部材は、グリップ結合部分および重量付部分を有し、上記基端ウエイト部材は上記ウエイト収容グリップ内に実装されるように構成され、上記グリップ結合部分は上記ウエイト収容グリップの上記ウエイト保持部分と係合するように構成され、上記重量付部分は上記グリップ結合部分の末端部分に隣接し、上記基端ウエイト部材の上記重量付部分は上記基端ウエイト部材の上記グリップ結合部分と隣接して位置決めされ、
上記末端ウエイト部材は、グリップ結合部分および重量付部分を有し、上記末端ウエイト部材は上記ウエイト収容グリップ内に実装されるように構成され、上記グリップ結合部分は上記ウエイト収容グリップの上記ウエイト保持部分と係合するように構成され、上記重量付部分は上記末端ウエイト部材の上記グリップ結合部分から末端側にずれ、上記末端ウエイト部材の上記重量付部分は上記末端ウエイト部材の上記グリップ結合部分から少なくとも５インチだけ末端側にずれ、
上記グリップ伸長ツールは、上記ウエイト収容グリップの部分を変形して上記ウエイト部材の上記ウエイト収容グリップへの取り付け、取り外しを容易にすることを特徴とするゴルフクラブ重量分布最適化システム。
［技術的特徴１７］
上記ウエイト収容グリップの上記ウエイト保持部分は、上記ウエイト収容グリップの内側表面内に形成されたキャビティを有し、上記ウエイト収容グリップの上記ウエイト保持部分は上記キャビティの基端のウエイト保持リップを有し、上記ウエイト保持リップは上記末端ウエイト部材および上記期間ウエイト部材が上記ウエイト収容グリップから外れるのを制限するように構成され、上記基端ウエイト部材の上記結合部分はおよび上記末端ウエイト部材の上記結合部分は、各々、グリップ係合部材を有し、上記グリップ係合部材は、各々、上記ウエイト収容グリップのキャビティ内に配置されるように構成される技術的特徴１６記載のゴルフクラブ重量分布最適化システム。
［技術的特徴１８］
上記ウエイト保持リップは内側径を有する穴を有し、上記グリップ係合部材は、外側径を有し、上記グリップ係合部材の外側径は上記ウエイト保持リップの上記穴の内側径より大きく、上記グリップ伸長ツールは、上記グリップの上記ウエイト保持部分を変形し上記ウエイト保持リップの上記穴の内側径を伸長して上記グリップ係合部材の外側径より大きくするように構成され、もって、上記グリップ係合部材が上記ウエイト保持リップの上記穴を通り抜けられるようにする技術的特徴１７記載のゴルフクラブ重量分布最適化システム。
［技術的特徴１９］
上記グリップ伸長ツールは第１部材、第２部材、および複数の伸長部材を有し、上記第１部材は上記第２部材に回転可能に結合され、上記第１部材の一部を上記第２部材の一部に向けて付勢して上記第１部材が上記第２部材に対して回転するようになし、上記グリップ伸長ツールはウエイト挿入部分を有し、上記複数の伸長部材が、上記第１の部材が上記第２の部材に対して回転するときに、上記第１部材および上記第２部材に対して移動し、上記複数の伸長部材が、上記ウエイト収容グリップの上記ウエイト保持リップの上記穴の上記内側径と係合してこれを伸長するように構成される技術的特徴１６記載のゴルフクラブ重量分布最適化システム。
［技術的特徴２０］
上記グリップ伸長ツールは第１部材、第２部材、および複数のウエイト部材を有し、上記第１部材は上記第２部材に回転可能に結合され、上記複数の伸長部材は、上記グリップの上記ウエイト保持部分を係合してウエイト挿入ポートを形成するように構成され、上記複数の伸長部材は、上記第１部材および上記第２部材の間の相対的な動きが上記複数の伸長部材の相対的な位置を変更して上記ウエイト挿入ポートの寸法を変化させるように、構成され、これによって、上記グリップ係合部材が上記ウエイト挿入ポートを通じて上記グリップの上記ウエイト保持部分へと通り抜ける技術的特徴１６記載のゴルフクラブ重量分布最適化方法。
【手続補正書】
【提出日】平成27年5月26日(2015.5.26)
【手続補正１】
【補正対象書類名】明細書
【補正対象項目名】００２７
【補正方法】変更
【補正の内容】
【００２７】
【図１】ゴルフクラブの斜視図を示す図である。
【図２】ゴルフクラブをゴルフボールの近くでアドレスして保持する右利きのゴルファの平面図である。
【図３】ダウンスイングでグリップが水平の位置のゴルフスイングを示す正面図である。
【図４】インパクト時のゴルフスイングの正面図である。
【図５】ダウンスイングでグリップが水平の位置のゴルフスイングを示す平面図である。
【図６】インパクト時のゴルフスイングの平面図である。
【図７】間略のためにゴルファを除去して示す、ダウンスイングでグリップが水平の位置の図５のゴルフスイングの平面図である。
【図８】間略のためにゴルファを除去して示す、インパクト時のゴルフスイングの平面図である。
【図９】ダウンスイングでグリップが水平の位置からインパクトまでの間の複数の点で、図５〜図８に図説されるゴルフスイングについての回転−対−グリップ・ボールオフセットをプロットする図である。
【図１０】基端ウエイト部材を組み込んだゴルフクラブの基端部分の断面図である。
【図１１】末端ウエイト部材を組み込んだゴルフクラブの基端部分の断面図である。
【図１２】分散−対−回転オフセット比をプロットするグラフを含む。
【図１３Ａ】ゴルファに対する最適なゴルフクラブ重量を決定するプロセスを図説する図である。
【図１３Ｂ】ゴルファに対する最適なゴルフクラブ重量を決定するプロセスを図説する図である。
【図１３Ｃ】ゴルファに対する最適なゴルフクラブ重量を決定するプロセスを図説する図である。
【図１３Ｄ】ゴルファに対する最適なゴルフクラブ重量を決定するプロセスを図説する図である。
【図１３Ｅ】ゴルファに対する最適なゴルフクラブ重量を決定するプロセスを図説する図である。
【図１４Ａ】ウエイト収容グリップの１実施例の断面図である。
【図１４Ｂ】図１４Ａのウエイト収容グリップの一部を示す図である。
【図１５】基端ウエイト部材の１実施例を占めず側面図である。
【図１６】末端ウエイト部材の１実施例を占めず側面図である。
【図１７】図１４Ａおよび図１４Ｂのグリップにおいて実装された図１５の基端ウエイト部材の断面図である。
【図１８】図１４Ａおよび図１４Ｂのグリップにおいて実装された図１６の末端ウエイト部材の断面図である。
【図１９Ａ】末端ウエイト部材の重量重み付け部分に固着された位置決め部材の実施例を示す断面図である。
【図１９Ｂ】末端ウエイト部材の重量重み付け部分に固着された位置決め部材の実施例を示す断面図である。
【図２０Ａ】位置決め部材の実施例の底面図である。
【図２０Ｂ】位置決め部材の実施例の底面図である。
【図２１】ウエイト部材位置決めツールの１実施例の側面図である。
【図２２】グリップに実装された基端ウエイト部材に係合されている、図２１のウエイト部材位置決めツールを示す断面図である。
【図２３】グリップ中に実装された重み付けされていないキャップの１実施例を示す断面図である。
【図２４】グリップ伸長ツールの１実施例の斜視図である。
【図２５】グリップ伸長ツールの１実施例の斜視図である。
【図２６】ウエイト部材および図２４および図２５のグリップ伸長ツールの下に位置するグリップの断面図である。
【図２７】図２４および図２５のグリップ伸長ツールの第１の部材および伸長部材を示す斜視図である。
【図２８】図２４および図２５のグリップ伸長ツールの第２の部材および伸長部材を示す斜視図である。
【図２９】図２４および図２５のグリップ伸長ツールの伸長部材の１実施例の斜視図である。
【図３０】図２４および図２５のグリップ伸長ツールの伸長部材の１実施例の斜視図である。
【図３１】図２９および図３０の伸長部材の平面図である。
【図３２】図２９および図３０の伸長部材の側面図である。
【図３３】図２９および図３０の伸長部材の斜視図である。
【図３４】図２９および図３０の伸長部材の斜視図である。
【図３５】慣用的なグリップを採用するゴルフクラブ内に実装された基端ウエイト部材の１実施例の断面図である。
【図３６】慣用的なグリップを採用するゴルフクラブ内に実装された末端ウエイト部材の１実施例の断面図である。
【図３７】グリップ伸長ツールのファスナ６０８およびスリーブ６０９の関係を示す断面図である。
【図３８】グリップ伸長ツールのファスナ６０８およびスリーブ６０９の関係を示す断面図である。
【外国語明細書】
2015173982.tif 000048
2015173982.tif 000049
2015173982.tif 000050
2015173982.tif 000051
2015173982.tif 000052
2015173982.tif 000053
2015173982.tif 000054
2015173982.tif 000055
2015173982.tif 000056
2015173982.tif 000057
2015173982.tif 000058
2015173982.tif 000059
2015173982.tif 000060
2015173982.tif 000061
2015173982.tif 000062
2015173982.tif 000063
2015173982.tif 000064
2015173982.tif 000065
2015173982.tif 000066
2015173982.tif 000067
2015173982.tif 000068
2015173982.tif 000069
2015173982.tif 000070
2015173982.tif 000071
2015173982.tif 000072
2015173982.tif 000073
2015173982.tif 000074
2015173982.tif 000075
2015173982.tif 000076
2015173982.tif 000077
Ｃｌａｉｍｓ
2015173982.tif 000078
2015173982.tif 000079
2015173982.tif 000080
2015173982.tif 000081
2015173982.tif 000082
2015173982.tif 000083
１．Ａｂｓｔｒａｃｔ
2015173982.tif 000084
２．Ｒｅｐｒｅｓｅｎｔａｔｉｖｅ  Ｄｒａｗｉｎｇ
Ｆｉｇ．１３Ａ
2015173982.tif 000085
2015173982.tif 000086
2015173982.tif 000087
2015173982.tif 000088
2015173982.tif 000089
2015173982.tif 000090
2015173982.tif 000091
2015173982.tif 000092
2015173982.tif 000093
2015173982.tif 000094
2015173982.tif 000095
2015173982.tif 000096
2015173982.tif 000097
2015173982.tif 000098
2015173982.tif 000099
2015173982.tif 000100
2015173982.tif 000101
2015173982.tif 000102
2015173982.tif 000103
2015173982.tif 000104
2015173982.tif 000105
2015173982.tif 000106
2015173982.tif 000107
2015173982.tif 000108
2015173982.tif 000109
2015173982.tif 000110
2015173982.tif 000111
2015173982.tif 000112
2015173982.tif 000113
2015173982.tif 000114
2015173982.tif 000115
2015173982.tif 000116
2015173982.tif 000117
2015173982.tif 000118